(57)【要約】本発明は一定の標的領域の加熱および／または冷却と組み合わせた光生体刺激により種々の病気および／または美顔の状況の治療効果を調節し、さらに／または、その治療効率を高めるための装置を提供している。一例の態様において、本発明の装置は一定の標的領域および／またはその周囲の組織部分の中の温度を制御することによりその標的領域の中の光生体刺激の効果を調節することに関連している。本発明の一部の態様によれば、高体温である組織に生体刺激を供給するために組織が加熱されている。あるいは、標的領域の種々の部分を冷却してその皮膚の表面下の一定の所望の深さにおける特定の領域を生体刺激の選択的な目標にすることができる。また、標的領域の温度を選択的に且つ正確に制御可能にするために一定のフィードバック機構も備えられている。
2006501960.tif 000002
【特許請求の範囲】
【請求項１】
一定の患者の標的領域を生体刺激するための装置において、
前記標的領域の中に生体刺激を生じるために適している１個以上の波長成分を有する電磁放射線を発生するための第１の供給源、
前記標的領域に前記放射線を配給するために前記供給源に随意的に連結されている一定の放射線案内装置、および
前記電磁放射線により生じる生体刺激の効果を調節するために前記標的領域の温度を制御するために当該標的領域に対して連絡している第２の供給源を備えている装置。
【請求項２】
前記第１の供給源が約１００ｎｍよりも狭い一定の帯域幅を有する放射線を発生する請求項１に記載の装置。
【請求項３】
前記第１の供給源が一定の実質的に単色光の放射線を発生する請求項１に記載の装置。
【請求項４】
前記第１の供給源が約３８０ｎｍ乃至約１２５０ｎｍの一定範囲内における１個以上の波長成分を有する放射線を発生する請求項１に記載の装置。
【請求項５】
前記第２の供給源が生体刺激の効果を高めるために前記標的領域を加熱するために適している放射線を発生する一定の電磁放射線の供給源を含む請求項１に記載の装置。
【請求項６】
前記第２の供給源が約３８０ｎｍ乃至約２７００ｎｍの一定範囲内の１個以上の波長成分を有する放射線を発生する請求項５に記載の装置。
【請求項７】
前記放射線案内装置が前記第１の供給源から前記標的領域に生体刺激用の放射線を配給するための一定のレンズ・システムを含む請求項５に記載の装置。
【請求項８】
前記レンズ・システムが一定のフレネル・レンズを含む請求項５に記載の装置。
【請求項９】
さらに、前記第１の放射線供給源により発生される光を前記レンズ・システムに送り込むために一定の入力部分において前記第１の放射線供給源に連結しており一定の出力部分において前記レンズ・システムに連結している一定の光ファイバーを備えている請求項５に記載の装置。
【請求項１０】
前記レンズ・システムが前記標的領域を照射するために前記第１の供給源により発生される一定の放射線ビームの断面積を調節可能にするための少なくとも１個の可動のレンズを含む請求項５に記載の装置。
【請求項１１】
前記放射線案内装置が
前記第１の供給源から一定の放射線ビームを受け取り複数のビーム部分を発生することに適合している一定のビーム・スプリッター、および
前記ビーム・スプリッターに光学的に連結していて、前記ビーム部分の１個以上を前記患者の皮膚の一定の表面部分に送り込むことにより前記標的部分を照射するための１個以上の反射性の表面部分を含む請求項１に記載の装置。
【請求項１２】
前記反射性の表面部分が前記皮膚の表面の一定の実質的に均一な照明を可能にする請求項１１に記載の装置。
【請求項１３】
前記ビーム・スプリッターが一定のプリズムを含む請求項１１に記載の装置。
【請求項１４】
前記反射性の表面部分の少なくとも１個が一定の湾曲状の外形を有している請求項１１に記載の装置。
【発明の詳細な説明】
【発明の詳細な説明】
【０００１】
優先権
本発明は「メソッヅ・アンド・アパレイタス・フォー・パーフォーミング・フォトバイオスティミュレーション（Methods and Apparatus for Performing Photobiostimulation）」を発明の名称とする２００２年、１０月７日に出願されている米国仮特許出願第６０／４１６，６６４号に対して優先権を主張している。
【０００２】
発明の背景
本発明は組織の光生体刺激（photobiostimulation）を行なうための方法および装置に関連しており、特に、組織の温度制御した光生体刺激を行なうための方法および装置に関連している。
【０００３】
種々の臨床的な状況を治療するために過去３０年にわたり低出力発光レーザー（すなわち、１００ｍＷよりも低い）が世界中において用いられている。例えば、光がＤＮＡ合成を刺激し、酵素基質複合体を活性化し、プロスタグランジンを変換して微小循環作用を生じることが報告されている。さらに、細胞または組織内の内因性の発色団（すなわち、外因性の感光因子の適用を伴わない）を照射することにより生じる上記のような作用についての多数の報告が存在している。
【０００４】
上記のような光化学的な応答を達成するための低レベルの光の使用は光生体刺激として一般的に呼ばれている。レーザー光に加えて、光生体刺激は別の単色または準単色の光源（例えば、ＬＥＤ等）を用いて、あるいは、広帯域の光源を適当に濾光すること（例えば、蛍光灯、ハロゲン・ランプ、白熱灯、放電ランプ、または自然の日光等の濾光）により達成することも可能である。なお、レーザー供給源により達成される生体刺激は低レベル・レーザー療法として呼ばれている。
【０００５】
低レベルの光または低レベルのレーザーの療法は組織を刺激してその組織の中に深く侵入することにより治癒を促進して光生体刺激の過程を開始する。この光エネルギーは細胞ミトコンドリアおよび細胞膜の中のシトクロムおよびポルフィリンに吸収されて少量の一重項酸素を生じる。この結果、このような治療により多数の臨床調査において立証されているように治癒が生じる。一般的に、患者は急性の状況に対する４回から６回の処置後および慢性の状況に対する６回から８回の治療後に知覚可能な改善を感じることが予想できる。多くの場合において、光生体刺激が外科手術に対する一定の実行可能な代替手段になり得る。
【０００６】
光生体刺激により生じる光化学的な過程は種々の生化学反応における細胞機構内への光子の一体化を含むと考えられている。一般に、光吸収の原理および細胞の呼吸工程内への光子エネルギーの一体化が一定の周知の自然現象である。さらに、光合成および映像がこの減少の二つの例である。また、これらの過程において、光受容体はそれぞれクロロフィルおよびロドプシンである。
【０００７】
光生体刺激の場合に、幾つかの同時発生的な作用機構が生体外において立証されている。このようなメカニズムまたは機構の一例はシトクロムｃオキシダーゼを含み、この酵素は低レベルの光の主要な細胞の光受容体である。このシトクロムｃオキシダーゼは細胞ミトコンドリアの中に存在する一定の呼吸連鎖酵素であり、真核細胞の呼吸連鎖における末端酵素である。特に、このシトクロムｃオキシダーゼはシトクロムｃから分子の酸素への電子の移動を媒介する。さらに、このシトクロムｃの関与はミトコンドリアの内膜を挟む一定の電気化学的な電位に変換されて最終的にアデノシン三リン酸（ＡＴＰ）の生成を誘導する自由エネルギーの発生を引き起こす酸化還元作用の中心になることが知られている。従って、光生体刺激が細胞の代謝活性のために利用可能なエネルギーを増大する可能性を有することが仮定されている。
【０００８】
さらに、光生体刺激が種々の治療効果を達成するための細胞増殖を増進するために使用可能であることが立証されている。ＡＴＰ分子はサイクリックＡＭＰ（ｃＡＭＰ）に対する一定の基質として作用し、このｃＡＭＰはカルシウム・イオン（Ｃａ2+）と共にＤＮＡおよびＲＮＡの合成を刺激する。さらに、このｃＡＭＰは信号変換、遺伝子発現、血液凝固および筋収縮等のような多数の生理学的な過程に影響する中枢の二次メッセンジャーである。従って、光生体刺激によるＡＴＰ生成の一定の増加が細胞増殖およびタンパク質の生成を増加するための一定の手段を与えることができると仮定されている。
【０００９】
光生体刺激により生じるような光刺激型のＡＴＰ合成は波長依存性である。カル（Karu）（レーザーズ・イン・メディシン・アンド・デンティストリー（Lasers in Medicine and Dentistry），Ｚ．シムノビック（Z. Simunovic）編集，ビトグラフ：リジェカ（Vitgraf:Rijeka），２０００年，ｐｐ．９７−１２５）は生体外において原核および真核の細胞が２種類の波長範囲、すなわち、一つが３５０乃至４５０ｎｍおよび別の一つが６００乃至８３０ｎｍに対して感応性であることを立証している。また、上記カルは赤色波長の光受容体がレダクターゼ（デヒドロゲナーゼ）の黄色蛋白およびシトクロムｃのシトクロムａ／ａ３のセミキノン型（semichinon type）であることを立証している。また、シトクロムｃオキシダーゼはその酸化状態の形態において８００ｎｍ乃至８３０ｎｍの波長範囲の特異的な発色団である。
【００１０】
生体の刺激の別のメカニズムは真皮の血管内の血液細胞および壁部に対する極めて限定された刺激を生じることを含む。このことにより一定の低いレベルの炎症／増殖の応答が生じる。例えば、炎症性の種々の媒体が血管の壁部を通して放出されて、これらの媒体が線維芽細胞の活性を刺激して最終的に一定の「治癒（healing）」効果を生じる。
【００１１】
上記のメカニズムおよび実際的な作用は多数の生体外の調査において立証されているが、臨床試行による結果はこれまでに結論に達していない。また、一部のグループは一定範囲の状況の治療において異なる程度の成功を報告しているが、別のグループはその効果を全くまたはほとんど観察していない。例えば、本明細書において参考文献として含まれる米国特許第５，５１４，１６８号、同第５，６４０，９７８号、同第５，９８９，２４５号、同第６，１５６，０２８号、同第６，２１４，０３５号、同第６，２６７，７８０号、および同第６，２２１，０９５号は生体刺激のための種々の方法および装置を例示している。このように、種々の生体刺激のための方法および装置が当該技術分野において存在しているが、治療の回数の少ない比較的に速やかに結果を生じるさらに効率的で効果的な治療方法が必要とされている。
【００１２】
光生体刺激はＧａ−ＡｓおよびＧａ−Ａｌ−Ａｓ（例えば、赤外光の範囲（６００乃至９８０ｎｍ）において発光する）等のような種々のダイオード・レーザーまたはＬＥＤを含む比較的に安価な発光源を用いて一般的に行なわれている。低出力レーザー光の既存の発光源および発光ダイオード（ＬＥＤ）は１乃至１００ミリワットの範囲の種々の出力レベルを配給し、従って、光生体刺激処置を行なうために必要な種々の出力密度がその光線の出力を一定の極めて小さいスポットの大きさ（一般的に１０ｍｍ以下）に集光することにより達成される。これにより、１乃至１００ｍＷ／ｃｍ2 の一定範囲内の典型的な出力密度が皮膚表面において生じる。しかしながら、このように小さい光線のサイズは大きな領域を治療するために一定の走査用の装置を必要にしている。さらに、たいていの調査において採用されている治療時間は５乃至３０分の範囲内であり、多数回の治療が多くの場合に必要とされている。
【００１３】
従って、病気および／または美顔の種々の状況の治療の効果を高めて、その治療の回数を減少する生体刺激のための改善された方法および装置に対する要望が当該技術分野において存在している。
【００１４】
発明の概要
本発明は治療領域の加熱および／または冷却と組み合わせた光生体刺激により病気および／または美顔の種々の状況の治療の効果を調節し、さらに／または、その効率を高めるための方法および装置を提供している。一例の態様において、本発明の方法および装置は一定の標的領域および／またはその周囲の身体部分の中の温度を制御することによりその標的領域内の光生体刺激の効果を調節することに関連している。本発明の一部の態様によれば、生体刺激が高体温である組織に適用されるように組織が加熱される。あるいは、一定の標的領域の各部分がその皮膚表面下の一定の所望の深さにおける特定の領域を選択的に生体刺激の標的にするために冷却できる。さらに、上記標的領域の温度が選択的に且つ正確に制御可能になるように一定のフィードバック機構も提供されている。
【００１５】
本発明は加熱が生体刺激の効果を高めると言う発見に部分的に基づいている。この加熱により向上した生体刺激は種々の形態を採ることができる。例えば、加熱は放射線誘発型のＤＮＡの損傷の修復を遅らせて、修復されない損傷部分を多く残し、その標的領域内における遊離ラジカルの量を増やすことにより、生体刺激の効果を高める可能性がある。また、加熱は熱ショック蛋白の生成または活性を誘発して酵素による種々の過程の速度を調節することも可能である。現在では、従来の光生体刺激において用いられている治療の供給源および動作条件は治療組織のごくわずかな加熱（例えば、通常の体温よりも１℃高いかそれ以下）を行なっている。
【００１６】
一例の態様において、本発明は一定の被験体の標的領域を生体刺激するための方法および装置を提供しており、この方法は一定の選択された継続時間にわたり生体刺激に適している少なくとも１個の選択された波長成分を有する一定の放射線供給源により発生される一定の放射線により一定の標的領域を照射する処理、およびその生体刺激の効果を調節するために上記生体刺激用の放射線とは別の一定の供給源により上記の照射した標的領域の温度を制御する処理を含む。上記の継続時間は標的領域の生体刺激を生じるように選択される。一部の実施形態において、上記標的領域は被験体の一定の皮膚表面下の一定の深さに定められる。また、上記の継続時間は所望の用途に基づいて選択できる。好ましくは、この継続時間は約１０秒乃至約１時間の範囲内または約１０分乃至約１時間の範囲内になるように選択される。また、上記温度は、例えば、上記標的領域を所定の温度を有する一定の表面に対して熱接触している状態で配置すること、その標的領域に対して熱接触している状態になるようにその標的領域の上における一定の流体または空気の流れを発生すること、その標的領域に電磁放射線または超音波を供給すること、またはその標的領域に一定の蒸発性のクリームまたは予備冷却および／または予備加熱したクリームまたはローションを供給することにより制御できる。なお、当業界における通常の熟練者であれば、上記標的領域および／またはその周囲の身体部分の温度を制御するために別の方法も使用可能であることが認識できる。
【００１７】
上記波長成分はその所望の用途に応じて約３８０ｎｍ乃至約１２５０ｎｍの範囲内、約３８０ｎｍ乃至約６００ｎｍの範囲内、約３８０ｎｍ乃至約４５０ｎｍの範囲内、約６００ｎｍ乃至７００ｎｍの範囲内、または約７６０ｎｍ乃至８８０ｎｍの範囲内になるように選択できる。また、上記の放射線供給源は好ましくは一定の狭い帯域幅、例えば、約１００ｎｍよりも狭い帯域幅を有する放射線を発生できる。
【００１８】
上記の放射線は標的領域に対して約１乃至約２５０ｍＷ／ｃｍ2 の範囲内、さらに好ましくは約１０乃至約１００ｍＷ／ｃｍ2 の範囲内の一定出力の線束を配給できる。さらに、この放射線はその照射時間中に照射される標的領域に対して約１ジュール／ｃｍ2 乃至約１０００ジュール／ｃｍ2 の範囲内、さらに好ましくは約１ジュール／ｃｍ2 乃至約１００ジュール／ｃｍ2 の範囲内の一定エネルギーの線束を配給できる。
【００１９】
本発明の一部の態様によれば、上記の標的領域が約１ｃｍ2 乃至約１０ｃｍ2 の範囲内の一定の断面積を有する一定の放射線に曝されることにより照射される。しかしながら、この放射線の断面はその用途に基づいて増大できる。
【００２０】
一部の態様において、上記温度を制御する工程は生体刺激の効果を高めるために、本明細書において高体温（化）として呼ばれている、照射された標的領域を加熱する処理を含む。この加熱工程は接触加熱、対流、または超音波、マイクロ波、または赤外エネルギー等のような電磁放射線の供給により行なうことができる。なお、上記の高体温は通常の体温よりも高い一定温度になることとして本明細書において定められている。この場合に、通常の体温は１日の時間により３６．１℃乃至３７．２℃の範囲にできる。従って、本発明の実施において生体刺激が適用される標的領域の表面領域における温度は３７乃至５０℃、好ましくは３７乃至４５℃に高めることができる。一部の実施形態において、この標的領域の温度は約３７乃至４２℃の範囲内、あるいは、約３８乃至４２℃の範囲内になるように高めることができる。また、別の実施形態において、上記標的領域の温度は約３８乃至４１℃の一定範囲内になるように高められている。さらに、この温度は通常の体温よりも高くなることが好ましいが、痛みや相当な濃度の重要な生体分子の変性が生じる一定の温度よりも低い。
【００２１】
本発明の別の態様は生体刺激用の放射線が供給される一定の標的領域を冷却する処理に関連している。本発明の少なくとも一部の態様によれば、組織の領域の一定の部分が冷却されて、その皮膚が熱による損傷から保護され、さらに／または、その処理の深さを制御するためにその領域内の生体刺激の効果が低下される。この標的領域は約０℃乃至約３６℃、または約１０乃至３６℃、または約１５乃至３６℃、または約２０乃至３６℃、または約２８乃至３６℃の一定範囲内の値まで冷却できる。
【００２２】
一部の実施形態において、上記温度の制御は生体刺激用の放射線により照射した標的領域を加熱するために一定の別の放射線供給源を利用することを含む。この別の放射線供給源は一定の狭い帯域の供給源または広帯域の供給源を含むことができる。このような別の放射線供給源は約３８０ｎｍ乃至約２７００ｎｍの範囲内、好ましくは約１０００ｎｍ乃至約１２５０ｎｍの範囲内、さらに好ましくは約７００ｎｍ乃至約９００ｎｍの範囲内の１個以上の波長成分を有する放射線を発生できる。
【００２３】
本発明の一例の態様において、上記の照射した標的領域の温度を制御する工程はその標的領域の第１の選択された部分を加熱してその標的領域の第２の選択された部分を冷却する処理を含む。さらに、これらの加熱処理および冷却処理は同時でもよく連続的であってもよい。この場合に、有益な種々の作用が照射の各処理の前、その途中、またはその間において標的領域の温度を速やかに変化または変動することにより生じることができる。
【００２４】
本発明の別の態様において、一定の患者の皮膚の下の一定の深さに定められているその患者の一定の標的領域を生体刺激する一定の方法が開示されている。この方法は一定の標的領域を照射するためにその標的領域に付随する一定の深さまで侵入できる少なくとも１個の選択された波長成分を有する一定の放射線に対して所定の継続時間にわたりその患者の皮膚の一定の部分を曝露する処理を含む。この標的領域に到達するために放射線が通過する少なくとも一部分の中の患者の身体部分の温度はその標的領域に対してその身体部分の中の生体刺激を調整するように制御される。なお、上記の波長成分および継続時間は標的領域内に生体刺激を生じるように選択される。また、上記温度は上記の身体部分を冷却してその内部の生体刺激を減少するように制御できる。例えば、この身体部分の温度は約０℃乃至約３６℃の範囲内、好ましくは約１５℃乃至約３６℃の範囲内になるように低下できる。また、上記波長成分は約３８０ｎｍ乃至約１２５０ｎｍの範囲内あるいは本明細書において記載されているさらに特定の範囲になるように選択できる。さらに、上記放射線供給源は約１００ｎｍよりも狭い一定の狭い帯域幅を有する放射線を発生できる。
【００２５】
さらに別の態様において、本発明は一定の標的領域内に生体刺激を生じるために適している１個以上の波長成分を有する電磁放射線を発生するための第１の供給源、その放射線を上記標的領域に配給するために上記供給源に光学的に連結している一定の放射線案内装置、および上記電磁放射線により生じる生体刺激の効果を調整するために上記標的領域の温度を制御するためにその標的領域に連絡している第２の供給源を含む一定の患者の標的領域を生体刺激するための一定の装置を開示している。上記第１の供給源は、例えば、約１００ｎｍよりも狭い一定の狭い帯域幅を有する放射線を発生できる。この第１の供給源は約３８０ｎｍ乃至約１２５０ｎｍの一定範囲内の１個以上の波長成分を有する放射線を発生できる。また、上記第２の供給源は生体刺激の効果を高めるために上記標的領域を加熱することに適している放射線を発生する一定の電磁放射線の供給源を含むことができる。例えば、この第２の供給源は約３８０ｎｍ乃至約２７００ｎｍの一定範囲内の１個以上の波長成分を発生できる。
【００２６】
一定の関連している態様において、上記装置はさらに一定の光ファイバーを含むことができ、この光ファイバーはその入力部分において上記第１の放射線供給源に連結していて、その出力部分において上記放射線案内装置、例えば、一定のレンズ・システムに連結しており、上記放射線供給源により発生される光がこのレンズ・システムに送られるようになっている。このレンズ・システムは標的領域を照射するために上記第１の供給源により発生される一定の放射線の断面積を調節可能にするために少なくとも１個の可動レンズを有することができる。なお、このレンズ・システムは一定のフレネル・レンズを含むことができる。
【００２７】
また、別の態様において、上記放射線案内装置は複数の光線部分を発生するために上記第１の供給源からの放射線を受容することに適合している一定のビーム・スプリッター、および標的領域を照射するために一定の患者の皮膚の表面に上記光線部分の内の１個以上を送り込むために上記ビーム・スプリッターに光学的に連結している１個以上の反射面を含むことができる。これらの反射面は上記皮膚表面の実質的に均一な照明を可能にできる。また、上記ビーム・スプリッターは、例えば、一定のプリズムとすることができ、上記反射面の少なくとも１個は一定の湾曲状の外形を有することができる。
【００２８】
別の態様において、本発明は一定の標的領域内において生体刺激を生じることに適している１個以上の波長成分を有する放射線によりその標的領域を照射する処理、およびその標的領域の少なくとも一部分の温度を能動的に制御してその温度を所定の動作温度の範囲内に保つことを確実にすることによりその標的領域内の生体刺激の効果を調整する処理を含む一定の被験体の標的領域を生体刺激する方法を提供している。上記温度を能動的に制御する工程は標的領域に熱接触している状態でその患者の皮膚の一部分の温度を測定する処理および少なくとも１個の所定の閾値に対してその測定した温度を比較する処理を含む。この標的領域に配給されるか当該領域から取り出される熱の量は上記の所定の閾値に対する測定した温度の比較に応じて制御できる。
【００２９】
さらに別の態様において、本発明は一定の患者の皮膚の一部分の上に一定の放射線供給源を移動して生体刺激を生じることに適している少なくとも１個の波長成分を有する放射線により複数の標的領域を連続的に照射することによりその被験体の複数の標的領域を生体刺激するための方法を提供している。上記放射線供給源を移動する処理はそれぞれの領域の中に生体刺激を生じるために十分な放射線に対してそれぞれの領域を曝露するために選択される一定の速度で行なうことができる。これらの標的領域の温度はそれぞれの標的領域の中の生体刺激の効果を調整するためにその生体刺激用の放射線とは無関係な一定の供給源により制御できる。上記の移動する放射線供給源はそれぞれの標的領域を１回だけ、あるいは、多数回にわたり生体刺激用の放射線に曝すことができる。
【００３０】
発明の説明
一例の態様において、本発明は一定の標的領域の温度を制御することによりその標的領域の中における光生体刺激の効果を制御することに関連している。この標的領域、すなわち、患者の皮膚、毛髪、目、歯、爪、またはその他の身体組織の加熱または冷却は光生体刺激と共同してさらに良好で効率的な結果を生じるために作用できる体内の種々の生物学的な過程を開始できる。この標的領域の温度は光生体刺激の途中、その前またはその間に調整される。このような放射線と温度調整との間の共同作用はその供給の程度および／または治療する病気または美顔の状況により変更可能である。一定の好ましい実施形態において、上記の温度および放射線の調整は同時に行なわれる。
【００３１】
一例の実施形態において、一定の標的領域の温度が高められる。このような組織の加熱すなわち高体温化は局所的な組織の灌流を増加すると共に血液およびリンパ液の循環を増加する。さらに、この血流の増加は光生体刺激されている種々の組織に多数の作用を及ぼす。また、一部の酵素反応の速度は比較的に高い温度において高まるので、生体刺激による細胞の生化学的な反応が加速される。加えて、増加した細胞の代謝において比較的に多量の酸素が利用可能になり、血液およびリンパ液の循環を通して、毒性の代謝副産物が容易に除去できるようになる。さらに、血管の加熱はその血管の壁部および／または細胞壁の透過性を高めることができ、このことは種々の治療用の添加物（すなわち、ビタミン、酸化防止剤、ローション等）または薬物の標的領域への配給を改善する可能性がある。例えば、局所用の種々の薬物を種々の熱感応性のリポソームの中に封入して、これらのリポソームが熱に曝される時にそれぞれの薬物内容物を選択的に放出するようにできる。
【００３２】
治療する組織内における高体温化は接触加熱、対流（例えば、加熱空気による）の使用、または電磁放射線の適用を含むがこれらに限定されない任意の適当な技法の使用により達成できる。一部の実施形態において、治療する一定の組織内における高体温化は組織を生体刺激するために用いる一定の生体刺激の供給源から入射した電磁放射線の一部分の吸収により達成される。例えば、このような電磁放射線の吸収はメラニン、ヘモグロビン、水、脂質等のような組織の発色団または組織の温度の一定の上昇を生じる光と熱の相互作用を引き起こす別の発色団により行なわれる。上記の高体温化は血管拡張の増大、血液循環の増加、熱ショック蛋白生成の増進等のような種々の現象の一定のカスケードを発生し、これらは光生体刺激と共同作用してその治療効果を高める。
【００３３】
加えて、局所的な高体温化が熱ショック（ＨＳ）応答である熱耐性（thermotolerance）およびホルメシス（hormesis）を活性化することが知られている（Ｐ．ベルベケ（P. Verbeke）他，セル・バイオル・インター（Cell Biol Inter.），２００１年，２５巻，ｐ．８４５−８５７）。この熱耐性の現象は熱的ストレスおよび回復の一定の工程の後に、この工程が無い場合に致命的になる第２のストレスに対して生き残る細胞の能力として定義されている。すなわち、穏やかな熱ショックの処理は種々のその後のストレスによる細胞死を防ぐ可能性がある。さらに、カロリー制限、運動、酸化性および浸透性のストレス、重金属、プロテオソーム抑制因子、アミノ酸類似体、エタノール、および代謝毒等のようなストレスに対する細胞および種々の生物の曝露と同様に、熱ショック処理は熱ショック蛋白（ＨＳＰ）の選択的な転写および翻訳を生じる一定の細胞のストレス応答を誘発する。このような多数のＨＳＰの系統群がこれまでに確認されている（Ｐ．ベルベケ（P. Verbeke）他，セル・バイオル・インター（Cell Biol Inter.），２００１年，２５巻，ｐ．８４５−８５７）。
【００３４】
一定の細胞が一定のストレスの供与体に遭遇すると、細胞骨格、細胞質構造、細胞の表面形態、細胞のレドックス状態、ＤＮＡ合成の変更または変性および蛋白質代謝および蛋白質の安定性の変化が生じる。さらに、このようなストレスは一定の分子の再造形または損傷、特に異常なたたみ込み蛋白質を発生し、これらの蛋白質は凝集して一連のストレス応答を開始する可能性がある。上記ＨＳ応答の誘発は環境のストレスとそのストレス応答との間の分子レベルの連携により生じる。ストレスが蛋白質のたたみ込みを変性する場合に、あるいは、蛋白質がたたみ込み状態から展開して変性し始める場合に、上記ＨＳＰはその蛋白質を再びたたみ込むことを補助して、蛋白質の損傷に対してその細胞組織を保護し、凝集体をある程度可溶にして、重なり合って損傷している蛋白質を大きな凝集体にして可溶状態に留め、致命的に損傷している蛋白質を崩壊の標的にして、アポプトーシスの進行を妨げることが知られている（Ｐ．ベルベケ（P. Verbeke）他，セル・バイオル・インター（Cell Biol Inter.），２００１年，２５巻，ｐ．８４５−８５７）。
【００３５】
上記のような展開した蛋白質の再生に関与するＨＳＰはシャペロンとして呼ばれている。これらのシャペロンは不自然なコンフォメーションであり疎水性のシーケンスを露出している別の蛋白質を認識してこれらに結合する。このようなＨＳＰは種々の細胞の機能の維持に関係している多くの異なる組織を保護する。さらに、一部のＨＳＰはストレス中のミトコンドリアの膜電位の保護に結び付く細胞のグルタチオン（GSH）量の増加を誘発する。また、ＨＳＰ７０およびＨＳＰ９０の各要素は中心体に関連している。すなわち、これらはアクチン、チューブリンおよび微小管／微小フィラメントの網状構造に結合してこれらを安定化して、細胞の形態および形質導入の種々の経路において一定の役割を果たす。
【００３６】
上記熱耐性は主にその後の種々の経験に対する一定の保護手段としての高分子の修復機構に結び付く小胞体およびサイトゾルの中における種々のＨＳＰの発現および蓄積の組織化された調整によると考えられている。さらに、上記ＨＳに対する応答の別の特徴は種々のＨＳＰが可溶性であり、細胞膜をまたいで別の隣接している細胞に移動すると言うことである。この結果、保護性のストレス応答がそのような反応の起こり得ない隣接している細胞に移動可能になる。従って、次の治療が比較的に高い温度により行なえるようになる。このメカニズムは皮膚表面に対して適用される最大の許容可能な入射出力を高めるために利用できる。具体的に言えば、この出力を徐々に高めて、その生体が熱的ストレスに対して適応可能にすることにより、そのような適応能力を伴わない場合に可能になると考えられるよりも高いレベル高体温化に対して生存できるようになる。
【００３７】
上記のＨＳＰ依存性の効果に加えて、ＨＳＰ非依存性の効果も高体温化により生じることができる。すなわち、熱耐性の別のメカニズムは浸透性ストレスの保護因子の合成、細胞膜脂質の飽和状態の変性、およびラジカル・スカベンジャー等のような酵素の発現を含む。
【００３８】
また、熱耐性と同様に、ホルメシスは繰り返される穏やかな応答に対する一定の応答であり、この応答は細胞の種々の防御過程を助長する。このホルメシスは細胞が漸進的なそれぞれの環境の変化に適応して他の場合において致命的な状況に対するその後の曝露に対して生存できるようになる一定の過程である。このような現象は照射、毒素、熱ショックおよびその他のストレスに関連して観察されている。ラタン（Ratan）他は人間の線維芽細胞における繰り返された穏やかなＨＳにおける老化防止のホルメシス効果を観察している（ラタン（Rattan）他，バイオケミカル・モレキュラー・バイオル・イント（Biochem Mol Biol Int），１９９８年，４５巻，ｐ．７５３−７５９）。また、ケベライティス（Kevelaitis）他は心筋に対する熱の局所的で短い適用（４２．５℃、１５分間）が心臓の収縮および拡張の機能を改善することを示している（ケベライティス（Kevelaitis）他，アニュアル・トラク・サージェリー（Ann Torac Surg），２００１年，７２巻，ｐ．１０７−１１３）。
【００３９】
上記は本発明の幾つかの態様によるシステムが生体刺激療法の臨床的な有用性および結果を当然に改善することを示している。さらに、本発明の幾つかの態様が細胞の光化学的な生体刺激および穏やかな組織の高体温化の共同的な効果を提供していると考えられ、これらの効果はＨＳＰ依存性のおよびＨＳＰ非依存性の熱耐性および／またはホルメシスを刺激する。このような共同作用は細胞損傷の修復および損なわれた細胞の改善された機能を引き起こす可能性がある。また、これらの効果は感染、急性および慢性の炎症、微視的な循環の停滞に付随する種々の状況の治療において役立ち、例えば、線維芽細胞の増殖の刺激または細胞内および細胞外の蛋白質、糖蛋白質および脂質可溶性の種々の分子の新しい合成を最終的に引き起こす種々の増殖因子の増加により、変性過程に置かれている種々の組織の再生および復活も刺激できる。また、本発明の別の態様は温度制御（例えば、一定の組織表面の加熱および／または冷却による）の使用を通して、さらに／または、放射線のスポット・サイズの制御を通して、深い種々の構造に光生体刺激用の光を選択的に配給することにより得られる生体刺激の効果を制御している。
【００４０】
本発明の別の態様において、一定の所望の治療効果を達成するために光生体刺激の特定のメカニズムを制御するための一定の手段が提供されている。光生体刺激に対する生物学的な応答がその生物学的な組織の状態の一定の関数として変化し得ることが知られている。例えば、人間の線維芽細胞は外部の刺激に曝されると多様な応答を示す可能性がある（レーザーズ・イン・メディシン・アンド・デンティストリー（Lasers in Medicine and Dentistry），Ｚ．シムノビック（Z. Simunovic）編集，ビトグラフ：リジェカ（Vitgraf:Rijeka），２０００年，ｐｐ．９７−１２５）。特に、線維芽細胞の増殖の刺激およびＩ型コラーゲンの生成における一定の増加の両方が報告されている。しかしながら、コラーゲンの生成は細胞増殖における影響とは逆の様式で影響を受け、増殖が増大すると、コラーゲンの生成は減少する。それゆえ、生体刺激の作用を一定の所望の経路に導くためにその標的組織の状態を操作できる。この場合に、生物学的な組織の状態に大きく影響する一つの要因は温度である。本発明は生体刺激を受けている領域の温度の制御を通してその結果として生じる生物学的な応答を微調整する一定の方法を提供している。
【００４１】
本発明は生体刺激の効果を調整するための方法および装置を提供している。この用語の「効果を調整する（modulates efficacy）」は本明細書において用いられているように１０％以上、好ましくは２０％以上、さらに好ましくは３０％以上、さらに好ましくは４０％以上、さらに好ましくは５０％以上、さらに好ましくは６０％以上、さらに好ましくは７０％以上、さらに好ましくは８０％以上、さらに好ましくは９０％以上、最も好ましくは１００％以上の結果として生じる生体刺激の効果における一定の変化を意味する。また、この生体刺激の効果は一定の所望の外観、すなわち、しわまたは瘢痕組織の除去を達成するために必要な時間、または患者の満足、すなわち、痛みの軽減のために必要な時間、または潜在する酵素のメカニズムの割合に基づいて測定できる。例えば、一定の標的領域の生体刺激の効果を実質的に高めることは刺激されていない安定状態の状況に対する１０％を超えるその標的領域内の酵素による過程の割合における一定の増加を意味することができる。さらに、この酵素による過程の割合は当業界において知られている方法の任意のものにより決定できる（例えば、Ｔ．バッグ（T. Bugg），アン・イントロダクション・トゥ・エンザイム・アンド・コエンザイム・ケミストリー（An Introduction to Enzyme and Coenzyme Chemistry），ブラックウェル（Blackwell），１９９７年、ライト（Wright）他，フォトケミカル・フォトバイオロジー（Photochem Photobiol.），２００２年，７月，７６（１）巻，ｐ．３５−４６、ケーケモア（Koekemoer）他，コンプ・バイオケミカル・フィジオロジー・Ｂ・バイオケミカル・モレキュラー・バイオロジー（Comp Biochem Physiol B Biochem Mol Biol.），２００１年，７月，１２９（４）巻，ｐ．７９７−８０７を参照されたい）。例えば、シトクロムｃオキシダーゼの酵素による活性またはラジカル生成、すなわち、一重項酸素の生成速度は一定の標的領域内における生体刺激の測定手段として使用できる。例えば、上記の遊離ラジカルの生成は細胞質内のスーパーオキシド・ジスムターゼ（ＳＯＤ）およびカタラーゼまたはグルタチオン・パーオキシダーゼの量を測定することにより決定できる。加えて、酸化防止剤の消費による等のような遊離ラジカル生成の間接的な測定も使用可能である。
【００４２】
上記のメカニズムは例示的であり、全てを網羅していない。従って、これらは本発明の範囲を限定しているものとして考えるべきではない。加えて、光生体刺激は新生の技術分野であり、一定の結果を達成する上記のようなメカニズムに関連する理論は多くの推論的な例として挙げられる。
【００４３】
図１乃至図５は本発明の少なくとも一部の態様に従う組織の一部分の生体刺激および温度制御（高体温化および／または低体温化）を達成するための５種類の例示的な処理の概要をそれぞれ示しているシステムの概略的な断面図である。
【００４４】
それぞれの治療または処理の概要において、生体刺激は当該生体刺激を達成するために適している一定の供給源から皮膚の表面に電磁放射線を供給することにより達成される。例えば、一定の適当な供給源は単色または準単色の供給源等のような一定の狭い帯域幅の供給源を含むことができる。さらに、適当な供給源は種々のレーザー、ＬＥＤまたは適当に濾光処理した広帯域の供給源（例えば、種々の濾光型ランプ）を含むことができる。本発明はまた一定の二次元のマトリクスの放射線供給源も利用できる。一定の適当な狭い帯域幅の供給源は好ましくは約１００ｎｍ以下、さらに好ましくは約２０ｎｍ以下、さらに好ましくは約１０ｎｍ以下の一定の帯域幅（すなわち、波長領域）を有する。さらに、波長は任意の既知の生体刺激作用を達成するために選択できる。例えば、この放射線の波長は３８０乃至２７００ｎｍの一定範囲内にすることができる。この場合に、約３８０乃至６００ｎｍの一定範囲内の波長を有する放射線は表皮組織を治療するために利用でき、約６００乃至１２５０ｎｍの一定範囲内の波長を有する放射線は深層組織のために利用できる。一定の例示的な実施形態において、生体刺激に利用できる好ましい波長の範囲は３８０乃至４５０ｎｍ、６００乃至７００ｎｍ、および７６０乃至８８０ｎｍである。しかしながら、この波長の選択はその特定の用途に応じて決まる。例えば、生体刺激は美顔、歯科、皮膚科、ＥＮＴ（耳鼻咽喉科）、婦人科、および外科の種々の用途を有している。
【００４５】
図１５を参照して、この一例の例示的な実施形態においては、一定の二次元のマトリクスの放射線供給源が一定の標的領域内に生体刺激を生じるためにその標的領域を照射するのと同時に、あるいは、異なる時間の間隔を置いて、当該領域に熱を配給するために使用できる。この例示的な放射線のマトリクス１５００は複数の放射線供給源１５１０（比較的に大きい円として示されている）を含み、これらは組織内に生体刺激を生じるために適している１個以上の波長成分を有する放射線を発生し、さらに上記マトリクス１５００は複数の別の放射線供給源１５２０（比較的に小さい円として示されている）を含み、これらは一定の標的領域を加熱するために適している波長範囲を有する放射線を発生できる。この場合に、種々の放射線供給源、例えば、ＬＥＤまたはレーザー等が上記二次元の放射線マトリクス１５００を形成するために使用できる。
【００４６】
本発明の態様の適用例は皮膚組織の改善、瘢痕の除去または治癒、しわの除去、皮膚の引き締め、皮膚弾性の改善、皮膚の肥厚化、皮膚の若がえり、脂肪性浮腫の治療／脂肪低下、脈管およびリンパの再生、皮下コラーゲン構造の改善、アクネ治療、乾癬治療、脂肪低下、毛髪成長の刺激、脱毛症の治療、老年性黒子の治療、線条の治療、痛みの軽減、傷の治癒、表皮および皮膚炎の治癒、湿疹の治療、褥瘡性潰瘍の治療、血腫の治癒、皮膚表面の置換後の治療、臭気の減少、筋収縮弛緩、歯肉炎の減少、歯髄炎の減少、肝炎の治療、歯槽骨炎、アフタおよび充血の治療、水腫の減少、鼓膜の治癒、耳鳴の治療、微小瘢痕およびポリープ症の減少、子宮付属器炎、バルトリン腺炎、子宮頸炎、会陰切開、ＨＰＶ、月経過多、および子宮傍組織炎および外陰炎を含むがこれらに限定されない。種々の病気および美顔状況を治療するために使用できる非限定的な波長範囲が以下の表１において見ることができる。
【００４７】
【表１】
2006501960.tif 000003
【００４８】
処理時間は一般に治療する組織の高体温化を達成するために必要な時間および一定の所望の光生化学的な結果を達成するために十分な一定時間にわたり生体刺激用の放射線により高体温の皮膚の部分を照射するために必要な時間に基づいて選択される。
【００４９】
本発明の一部の態様によれば、生体刺激用の放射線により高体温の皮膚の部分を照射するために必要な時間は人間の組織の中に約１０23個の分子／ｃｍ3 が存在していて、１回の光生体刺激の治療の過程において各分子に最少でも１個の光子が配給されると言う一定の仮定により決定できる。例えば、１ｃｍ3 の治療部分に対して、１０23個の光子を配給する必要がある。さらに、吸収される光子が均一に分布して光が１ｃｍ2 の窓を通して配給されると仮定すると、一定の皮膚表面における光の量は単色光の１個の光子のエネルギーの１０23倍に等しくなり、この量をその供給源の光の出力で割った値が一般的な最小の治療時間を決定する。この場合に、一般的な治療時間は１０秒乃至６０分である。一部の実施形態において、そのパルスの持続時間は１分乃至１時間である。また、別の実施形態において、上記パルスの持続時間は１０分乃至１時間である。さらに、これらの治療は必要に応じて行なうことができる。例えば、各治療の間に１日の間隔を置いて、５乃至１０回行なうことができる。この場合に、一定の標的領域に配給される合計のエネルギーの一般的な量は１Ｊ／ｃｍ2 乃至１ＫＪ／ｃｍ2 の範囲にすることができ、好ましくは１Ｊ／ｃｍ2 乃至１００Ｊ／ｃｍ2 である。
【００５０】
本発明によれば、上記の高体温化はそれぞれの方法の概要において指定される深さにおいて高体温化を達成する任意の既知の手段により達成できる。この高体温化の場合に、その供給源は一定の広帯域の放射線供給源または一定の狭い帯域の放射線供給源のいずれでもよく、パルス化されていてもよく、あるいは、連続波（ｃｗ）でもよい。さらに、一部の実施形態において、パルス化した光を一定の患者の生物学的な周期（例えば、その患者の心臓の鼓動等のような生物学的な周期）に同期化することができる。さらに、光高体温化に関する詳細が以下において論じられている。
【００５１】
温度制御および生体刺激を達成するために以下において記載されている種々のパラメータ（例えば、波長の束、温度、面積等）の例示的な範囲は特定の治療を達成するために使用できる種々の値を示しており、これらの特定の治療のために用いられる値は患者の皮膚の種類または型、治療を受ける患者の体の部分、所望の治療、治療の深さ、治療部分の温度等を含むがこれらに限定されない多くの要因に応じて決まる。加えて、これらのパラメータが相互に関係していることも認識する必要がある。例えば、エネルギー／量および供給時間は逆の関係にあり、一定の標的部分における所望数の光子を供給するために一方が大きくなれば他方が減少する。所望の結果を提供する種々のパラメータの例が本明細書において記載されており、別の治療のための種々のパラメータが本明細書において記載されている情報および／または経験により当業界における通常の熟練者により決定できる。
【００５２】
図１は本発明の一定の例示的な実施形態を示しており、この実施形態において、組織の一定の部分１６０がその組織における一定の高体温の部分に生体刺激を加えるように加熱され、この場合に、この組織の部分１６０が皮膚の表面１１５の表面から延在している。すなわち、この組織の部分１６０は一定の深さの部分１３０および一定の皮膚の表面領域１５０により定められている。また、この組織の部分１６０の側面１５２が皮膚の表面１１５に対して垂直であるように示されているが、図１における治療の領域ならびに図２乃至図５について以下において説明されている治療領域が一般的に組織による光の散乱により表面領域から下に深さと共に増大することが当然に理解されると考える。加えて、上記組織の部分１６の境界が連続的な線により示されているが、その治療の実際の部分が極めて不規則になる可能性があり、これらの境界の外側の組織の領域も生体刺激および高体温化の両方を受ける可能性があるが、その生体刺激および／または高体温化が上記組織の部分１６０内の組織におけるよりも一定の低い程度になることが当然に理解されると考える。
【００５３】
生体刺激は上述したような一定の適当な光生体刺激の供給源１１０からの放射線により達成できる。例えば、この供給源１１０は約１乃至２５０ｍＷ／ｃｍ2 の範囲内、好ましくは約１０乃至１００ｍＷ／ｃｍ2 の範囲内の一定の線束を有する放射線を皮膚表面１１５に配給する。この場合に、生体刺激が達成される一定の深さの領域１３０は供給源１１０からの光の線束および波長、および領域１５０の大きさにより決定される。例えば、一定の線束１乃至２５０ｍＷ／ｃｍ2 において３８０乃至１２５０ｎｍの一定の波長を有する放射線による照射は１ｃｍよりも大きい一定の直径を有する光線の場合に１０ｍｍまでの深さまで生体刺激を達成する。なお、上記領域１５０が円形であるように示されているが、この領域１５０（および図２乃至図５について以下に説明されている別の皮膚の表面領域）が卵形、正方形、長方形、六角形でもよく、あるいは、別の任意の適当な形状を有していてもよいことが当然に理解されると考える。また、上記供給源１１０は皮膚の表面１１５に接触して動作することができ、あるいは、一定の距離から皮膚の表面１１５の上に放射線を照射することも可能である。
【００５４】
上記皮膚の部分１６０内の高体温すなわち一定の高められた温度は当該部分１６０の温度を約３７乃至５０℃、好ましくは約３７乃至４５℃の一定範囲内の値に高めることのできる任意の既知の供給源１２０により達成できる。通常の体温は１日の時間により３６．１℃乃至３７．２℃の範囲であると言える。一部の実施形態において、その標的領域の温度は約３７乃至４２℃の一定範囲内に高めることができる。また、一部の実施形態において、その標的領域の温度は約３８乃至４２℃の一定範囲内に高められる。さらに、別の実施形態において、その標的領域の温度は約３８乃至４１℃の範囲内に高められる。さらに、別の実施形態において、その標的領域の温度は約３８℃に高めることができる。さらに別の実施形態においては、その標的領域の温度は約３９℃に高めることができる。さらに別の実施形態においては、その標的領域の温度は約４０℃に高めることができる。例えば、上記高体温は熱風を上記領域１５０に噴射すること、ＡＣまたはＤＣの電流を供給すること、または一定の導電性の熱源（すなわち、上記表面１１５に接触している一定の加熱プレートまたは加熱用のパッド等のような装置）を用いることにより達成できる。さらに、一定の組織を加熱する別の例は米国特許第５，２３０，３３４号および米国特許第４，７７６，０８６号において記載されているような超音波およびマイクロ波の放射線を用いる処理を含み、これらの文献はそれぞれ本明細書において参考文献として含まれる。また、接触加熱が望まれる場合には、生体刺激がその熱源を通して組織に供給可能になるようにその熱源を生体刺激用の放射線に対して透過性にすることができる。さらに、この加熱は光生体刺激の治療の各処理の前、その途中またはそれらの間のいずれにおいても適用可能である。
【００５５】
随意的に、供給源１２０は高体温化を達成できる一定の発光源とすることができる。このような放射線により達成される高体温化は光高体温化とも呼ばれる。さらに、この発光源１２０は生体刺激の達成に影響しない任意の適当な発光源とすることができる。また、上記の高体温化を達成するために、その加熱処理は組織の一定の所望の温度を達成するために選択される一定の広帯域の供給源または一定の狭い帯域の供給源のいずれかを用いて得ることができる。また、この高体温化は任意の適当な１個以上の波長の電磁放射線を用いて達成することができ、例えば、この放射線は３８０乃至２７００ｎｍの範囲内、好ましくは５００乃至１２５０ｎｍの範囲内、さらに好ましくは６５０乃至９００ｎｍの範囲内および／または１０００乃至１２５０ｎｍの範囲内にすることができる。例えば、図６において含まれている各供給源は一定の適当な温度プロファイルを形成するために一定の重み付けした様式で組み合わせることができる。さらに、上記の発光源１２０は皮膚表面１１５に接触して動作することができ、あるいは、一定の距離から皮膚表面１１５の上に放射線を照射することも可能である。
【００５６】
生体刺激の供給源１１０および上記供給源１２０の組み合わされた出力のスペクトルの密度が生体刺激を行なう波長により支配されていれば、発光源１２０が生体刺激の達成に対して影響しないと考えられる。例えば、この生体刺激を行なう帯域内の波長のスペクトル密度は任意の他の帯域内の光のスペクトル密度の１００倍以上、好ましくは１，０００倍以上である。なお、この語句の「スペクトル（の）密度（spectral density）」は本明細書において特定の帯域幅（例えば、生体刺激が達成される帯域幅）の中における光子の数を表現するために定められている。
【００５７】
本発明の種々の態様による生体刺激は照射の一定の従来の小さい領域（例えば、１０ｍｍ2よりも小さい直径の一定のスポットの大きさを有する丸い領域）に適用されるか、あるいは一定の比較的に大きな領域（例えば、１ｃｍ2 乃至２００ｃｍ2 またはそれ以上で人間の体全体を含む一定のスポットの大きさを有する丸い領域）に適用される種々の供給源を用いて達成することができる。同様に、本発明の種々の態様による光高体温化は一定の従来の小さい領域内（例えば、１０ｍｍ2よりも小さい直径の一定のスポットの大きさを有する丸い領域）に適用されるか、あるいは一定の比較的に大きな領域（例えば、１ｃｍ2 乃至２００ｃｍ2 またはそれ以上の一定のスポットの大きさを有する丸い領域）に適用される種々の供給源を用いて達成することができる。さらに、大きな領域は処理時間の短縮を含むがこれに限定されない種々の利点を提供する。例えば、大きな領域は一定の顔面、首、背中または腿等のような組織の大きな領域を治療するために使用できる。さらに、このような大きな領域の照射を達成する方法が以下において図８乃至図１１および図１３に基づいて詳細に説明されている。
【００５８】
本発明は照射する部分が増大するほど境界部分の効果が低下することを認識している。すなわち、標的領域の部分が増大すると、散乱した放射線がその照射した部分の中に留まる可能性が高まる。それゆえ、一定の比較的に大きな照射ビームおよび／または一定の比較的に大きな標的領域を用いる場合に一定の比較的に深い深さまでその標的組織の中に侵入できる。従って、一部の実施形態において、治療が一定の組織の相当な深さにまで及ぶ場合に、一定の大きな領域の照射がその治療を行なうために用いられる。これに対して、従来の生体刺激装置は狭い領域の入射ビームを用いており、このようなビームは強く減衰されるので、そのビームを構成している光子が所望の生体刺激を達成するための十分に高い濃度でその皮膚および皮下組織（さらに／または筋肉および骨）の中に深く到達できない。加えて、従来の生体刺激装置においては、一定の時間に小さな領域のみが治療されるので、組織の大きな領域の治療により生じる有益な効果が存在しない。例えば、一部の実施形態において、光生体刺激用の放射線は約０．８ｃｍ2 （例えば、１ｃｍ2 よりも大きい一定の円形スポットの大きさ）よりも大きい、好ましくは１．６ｃｍ2 よりも大きい一定の照射面積により皮膚表面に照射されていて、１回に一定の大きな領域を治療することにより時間効率を達成している。一例の態様において、本発明はこのような治療を行なうことのできる装置を提供している。
【００５９】
図２は本発明の別の実施形態を示しており、この実施形態において、一定の組織の部分２６０が加熱されてその組織の高体温の部分２６０に生体刺激が供給されるようになっており、この場合に、その組織の部分２６０は皮膚の表面１１５の近くにあり、生体刺激（高体温化を伴わない）を受ける一定の組織の部分２７０が上記組織部分２６０の下方に存在している。この組織の部分２６０は一定の深さの領域２３０および一定の領域２５０により定められている。本発明のこの態様によれば、同一の光源２１０が組織の部分２６０における高体温化および生体刺激の両方を生じるために用いられている。さらに、この光源２１０は一定の深さの領域２４０内の部分２７０の中にも生体刺激を生じる。
【００６０】
本発明の上記の態様に従う実施形態の付加的な利点は図１において供給されている線束に対して供給源２１０の線束を増加することにより生体刺激領域の深さが効果的に増大すると言うことである。例えば、１００ｍＷ／ｃｍ2 から２００ｍＷ／ｃｍ2 への皮膚表面１１５における線束の入射の増加は顕著な高体温化を誘発するために十分であり、３０％（すなわち、図１における深さの領域１３０に比べた場合にそれぞれの深さの領域２３０および２４０を含む合計の生体刺激の深さの増加分）までだけ有効な生体刺激の深さも増大する。
【００６１】
上記の高体温化および生体刺激は一定の領域２５０の上に一定の狭い帯域幅の供給源２１０から電磁放射線を照射することにより組織の部分２６０の中に達成される。この供給源２１０の波長は一定の所望の光生体刺激の結果を達成するために選択され、この供給源２１０の線束は図６および図７により示されているように所定の温度プロファイルを達成するために選択される。一方、上記組織部分２７０（一定の深さの領域２４０および領域２５０により定められている）の中の生体刺激は図２において示されているように光の強度が生体刺激を達成するために十分ではあるが一定の高体温の温度を達成するために十分でない（すなわち、温度が３８℃よりも低い）場合に達成される。なお、生体刺激の効果は一定の深さの領域２４０内に高体温化が存在しないことによりこの深さの領域２４０よりも上記の深さの領域２３０の中において弱いことを認識する必要がある。
【００６２】
本発明の第２の態様による生体刺激および高体温化は一定の従来の小さな照射領域（例えば、１０ｍｍ2よりも小さい直径の一定のスポットの大きさを有する丸い領域）に適用されるか、あるいは一定の比較的に大きな領域（例えば、１ｃｍ2 乃至２００ｃｍ2 またはそれ以上の一定のスポットの大きさを有する丸い領域）を用いて達成することができる。一般に、上記の領域が大きくなるほど、それぞれの深さの領域２３０および２４０が散乱の効果の一定の減少により表面１１５からさらに深く延在する。例えば、一定の線束０．１乃至１．０ｍＷ／ｃｍ2 における一定の波長６００乃至１２５０ｎｍおよび一定のスポットの大きさ１乃至２００ｃｍを伴う照射は露光後８０秒において３０ｍｍまでの一定の深さに到る加熱および生体刺激および３０乃至５０ｍｍに到る生体刺激（高体温化を伴わない）を達成する。
【００６３】
図６および図７は皮膚の冷却を伴わない（図６）または同時の皮膚の冷却を伴う（図７）単色光の例示的な波長を用いて一定の選択された温度プロファイルを達成するためのグラフのデータをそれぞれ示している。具体的に言えば、以下の表２および表３における番号付けした各項目が図６および図７におけるそれぞれ対応している番号付けした安定状態の温度プロファイルを達成するために必要な皮膚表面における線束および時間をそれぞれ記載している。なお、図６および図７における各波長が例示的であり、任意の適当な波長の光が高体温化を達成するために使用できることが当然に理解されると考える。図６における例示的なプロファイル７は皮膚の表面（図６において皮膚の深さ０として示されている）から延在している一定の組織部分（例えば、組織部分２６０）の中の高体温化を示している。また、例示的なプロファイル１乃至６および８乃至１０に対応する各供給源もまた一定の組織部分（例えば、組織部分２６０）の中の高体温化を達成するために使用可能であり、この高体温化は供給源の出力を適当に増加して一定の比較的に大きな線束を達成することにより皮膚の表面から延在する。
【００６４】
【表２】
2006501960.tif 000004
【００６５】
【表３】
2006501960.tif 000005
【００６６】
図１２Ａは６８０ｍＷ／ｃｍ2 の一定の線束における一定の８００ｎｍの放射線に対する露光時間の関数としての皮膚表面における温度を示しており、この場合に各ビームは２．５ｃｍよりも大きい一定の直径を有している。図１２Ａにおいて示されているデータは以下の仮定、すなわち、一定の３ｍｍの皮膚の厚さ、一定の５ｍｍの皮下脂肪の厚さ、皮下脂肪の下に延在している筋肉、および３７℃の一定の体温を含む一定のコンピュータ・モデルにより計算されている。また、図１２Ｂは図２の実施形態に相当する温度プロファイルを示しており、この場合に、皮膚表面は３６℃に冷却されて維持されている。さらに、この図１２Ｂの各温度プロファイルは上記表３のデータにそれぞれ対応している。また、この図１２Ｂにおいて示されているデータは以下の仮定：すなわち、一定の３ｍｍの皮膚の厚さ、一定の５ｍｍの皮下脂肪の厚さ、皮下脂肪の下に延在している筋肉、および３６℃の一定の体温を含む一定のコンピュータ・モデルをにより計算されている。
【００６７】
図３は皮膚の表面１１５の下の一定の深さの領域３３０の中の組織の部分３６０の中に光生体刺激を発生するための本発明の第３の態様を示しており、冷却が皮膚１１５の表面に加えられている。この光刺激は皮膚の表面１１５を冷却することにより一定の深さの領域３２０の中における組織の部分３８０の中の効果を抑制または低下することができる。また、組織の部分３６０は一定の深さの領域３３０および一定の領域３５０により定められている。この場合に、高体温化は組織部分３６０のいずれの部分においても生じない。
【００６８】
上記組織部分３８０の中における抑制された生体刺激または低下した効果の生体刺激を伴って組織部分３６０の中において生体刺激（高体温化を伴わない）を達成するために、一定の供給源３１０は１乃至１０，０００ｍＷ／ｃｍ2 の範囲内で放射線を放射し、冷却器３１２は一定の低体温（すなわち、通常の体温よりも低い一定の温度）まで領域３５０および一定の深さの領域３２０により定められている一定の部分３８０の中の温度を下げるために皮膚表面に冷却を加える。この冷却器３１２は、例えば、一定のファン、冷温（３６℃以下）流体（すなわち、液体または気体）の流れ、凍結剤スプレー、蒸発性のクリーム、皮膚に接触している冷温プレートまたはウインドウ、またはその他の接触式または非接触式の冷却器等のような任意の適当な冷却器とすることができる。
【００６９】
上記標的領域の温度は約０乃至３６℃または約１０乃至３６℃、または約１５乃至３６℃、または約２０乃至３６℃、または約２８乃至３６℃に低下できる。このような低体温化は照射により発生する熱により生じる損傷から皮膚を保護するために使用できる。加えて、温度を低下することにより、生体刺激の効果を低下するか生体刺激を抑制することができる。この効力の低下は血液の微小循環の低下、比較的に低い温度による関連の生化学的な反応の減速を含む種々の要因に帰することができる。また、標的領域の冷却は代謝および生理学的な種々の過程を減速して細胞、特に神経における酸素の必要性を低下する可能性がある。ただし、０℃よりも低い温度において生じる可能性のある凍傷を防ぐために注意する必要がある。加えて、全身の温度（すなわち、直腸の温度）は約２８℃以下に低下してはならず、この温度において通常の温度に戻る能力が失われる。ただし、一部の実施形態において、０℃よりも低い温度を短時間にわたり一定の小さい標的領域において使用できる場合もある。
【００７０】
一部の態様において、低体温化は高められた生体刺激を生じる可能性がある。すなわち、温度を下げることは特定の冷温ショック蛋白の発生、および細胞膜または脂肪細胞の脂質構造における相転移を引き起こす。これらの標的領域に対する変化は特定の病気または美顔の状況の治療のための生体刺激の効果を高めることができる。
【００７１】
例えば、高体温化を伴わない生体刺激を達成するために、６０秒よりも大きな一定の時間間隔において１乃至１，０００ｍＷ／ｃｍ2 の線束および０．８ｃｍ2 のビーム面積（例えば、１ｃｍ2 よりも大きい標的領域において一定のスポットの大きさを生じる一定の丸形の領域）における５００乃至１２００ｎｍの一定波長による照射が２５ｍｍの一定の深さまでの生体刺激を達成する。この場合に、皮膚表面１１５が０乃至３２℃に維持されると、低体温化が上記治療部分３６０の上の一定の組織部分３８０の中に存在してこの部分の中における生体刺激が減少または抑制される。また、一部の実施形態において、上記の低体温化が生体刺激を高めることも有り得る。
【００７２】
図４は本発明の別の態様を示しており、この態様において、一定の組織部分４６０は生体刺激を一定の高体温の組織部分４６０に加えるように加熱され、この場合に、この組織部分４６０は皮膚の表面１１５の下の所定の深さにあり、別の部分（高体温化を伴わない）４６５，４７０が上記の組織部分４６０の上下にそれぞれ存在している。この場合に、高体温化は一定の冷却器４１２により組織部分４６５の中において抑制されており、組織部分４７０は高体温化を達成するほど十分には加熱されていない。また、上記の組織部分４６０は一定の深さの領域４３０および一定の領域４５０により定められている。
【００７３】
上記組織部分４６０の中における光生体刺激および高体温化を達成するために、一定の供給源４１０は１００乃至１０，０００ｍＷ／ｃｍ2 の範囲内の放射線を放射し、冷却器４１２は皮膚表面１１５における高体温化を抑制するためにその皮膚表面に冷却を供給する（０乃至３０℃）。図４の治療等のような治療は一定の比較的に大面積の照射（例えば、１ｃｍ乃至２００ｃｍまたはそれ以上の一定の直径を伴う一定のスポットの大きさを有する丸形の領域）により適用される一定の生体刺激の供給源により達成できる。このような組織部分が皮膚の表面下の所定の深さにある場合の一定の組織部分を加熱する処理が「メソッド・アンド・アパレイタス・フォー・フォトサーマル・トリートメント・オブ・ティシュー・アット・ア・デプス（Method and Apparatus for Photothermal Treatment of Tissue at a Depth）」を発明の名称とする２００２年，６月１９日に出願されている米国仮特許出願第６０／３８９，８７１号において記載されており、この文献の内容は本明細書において参考文献として含まれる。
【００７４】
例えば、本発明の態様に従って光生体刺激および高体温化を達成するために、曝露の６０秒後における１００乃至１０，０００ｍＷ／ｃｍ2 の一定の線束および０．８ｃｍ2 の照射面積における５００乃至１２５０ｎｍの一定波長による照射は皮膚表面下の０乃至５０ｍｍの一定範囲内の深さにおいて生体刺激を達成し、その皮膚表面が０乃至３０℃に維持される場合には、その高体温化は皮膚表面下の０．２乃至３０ｍｍの一定範囲の深さにおいて達成される。本発明のこの態様による治療は一定の比較的に大きな領域（例えば、１ｃｍ乃至２００ｃｍまたはそれ以上の一定のスポットの大きさの直径を有する丸形の領域）を用いて達成できる。
【００７５】
図５は高体温の組織部分において高められた生体刺激が生じるように一定の組織部分５６０が供給源５１０により加熱される本発明の別の態様を示しており、この組織部分５６０は皮膚表面１１５の下の所定の深さに存在している。この場合に、皮膚表面５５０は同時にまたは連続的に加熱しながら冷却供給源５１２により冷却できる。さらに、生体刺激（高体温化を伴わない）が上記組織部分５６０の下に存在している一定の組織部分５４０の中において生じる。また、組織部分５６０は一定の深さの領域５３０および一定の領域５５０により定められている。
【００７６】
図４に関連して上述されているように、生体刺激の効力は皮膚表面の近くにおける一定の組織部分５２０の中において抑制される。しかしながら、本発明のこの態様によれば、高体温化が組織部分５６０のみにおいて生じる。
【００７７】
例えば、本発明の上記の態様により光生体刺激および高体温化を達成するために、曝露の６０秒後において１００乃至１０，０００Ｗ／ｃｍ2 の一定の線束および０．８ｃｍ2 よりも大きい一定の照射面積における５００乃至１２５０ｎｍの一定波長を伴う照射が皮膚表面下の０．１乃至５０ｍｍの一定範囲内の深さにおいて生体刺激を達成し、この皮膚表面が０乃至３０℃に維持される場合には、その高体温化が皮膚表面下の０．２乃至３０ｍｍの一定範囲内の深さにおいて達成される。本発明のこの態様による治療は一定の比較的に大きな領域（例えば、１ｃｍ乃至２００ｃｍまたはそれ以上の一定のスポットの大きさの直径を有する丸形の領域）を用いて達成できる。
【００７８】
図７は単色光の例示的な波長を用いて所定の温度プロファイルを達成するためのグラフによるデータおよびこれに対応する表のデータを示しており、この場合に、皮膚表面は１０℃の一定温度に冷却されており、光生体刺激は皮膚表面の近くの一定の組織の領域内において抑制されている。具体的に言えば、表３において番号付けされている各項目は図７においてそれぞれ対応して番号付けされている安定状態の温度プロファイルを達成するために必要な皮膚表面における線束および時間を記載している。なお、図６および図７における各波長が例示的であり任意の適当な波長の光が高体温化および生体刺激を達成するために使用可能であることが当然に理解されると考える。
【００７９】
上記の説明は静的（すなわち、移動しない）放射線供給源を論じているが、所望の組織温度を達成し、さらに／または生体刺激を達成するための所望量の光を配給するために、所望の光生体刺激および光高体温化を皮膚表面の全体にわたり一定の放射線供給源の出力ヘッド部分を移動することにより達成できる。このヘッド部分は所望の治療効果を達成するために必要に応じて１回または多数回にわたりそれぞれの皮膚表面の領域の上に移動可能である。さらに、一定の供給源を皮膚表面の全体にわたり移動することは組織全体の比較的に長い熱の緩和時間による組織の一定部分の中における高体温化を達成するために使用できる。このような供給源の移動および組織の加熱に関する詳細が２００１年、８月１４日にアルトシュラー（Altshuler）他に発行されている「メソッド・アンド・アパレイタス・フォー・ダーマトロジー・トリートメント（Method and Apparatus for Dermatology Treatment）」を発明の名称とする米国特許第６，２７３，８８４Ｂ１号において記載されており、この文献の内容は本明細書において参考文献として含まれる。このようにして、光生体刺激は所望数の光子が組織の治療部分に配給されるように一定の速度および／または多数の繰り返しにおいて皮膚全体にわたり上記供給源の出力ヘッド部分を移動することにより達成できる。
【００８０】
本発明の上記の態様は組織の一定の高体温および／または一定の低体温の部分に生体刺激を加えることに関連している。これらの態様において、その加熱供給源および生体刺激用の放射線供給源は同時に適用することができ、さらに一部の実施形態において、同一の供給源にすることも可能であり、あるいは、加熱供給源を生体刺激用の放射線の供給中に休止することもでき、あるいは、この加熱供給源を高体温化の状況を維持するために一定の減少した量で供給することも可能である。
【００８１】
図８は上記図２に従う本発明の態様と共に使用することに適している一定の光投射システム８００の概略図である。この光投射システム８００は一定の放射線供給源８０２および一定のレンズ・システム８２０により構成されている。この放射線供給源は図２に関連して上述されている本発明の一定の実施形態に従って高体温化および生体刺激を発生するための任意の適当な狭い帯域幅の供給源にすることができる。例えば、この供給源は一定のレーザー（例えば、９０Ｗの出力により８０５ｎｍで発光する一定の連続波形のダイオード・レーザー）または複数のレーザーの一定のアレイ、一定のＬＥＤ（または複数のＬＥＤの一定のアレイ）または一定の電灯とすることができる。さらに、この供給源８０２からの放射線は一定の光ファイバー８０３（例えば、一定の１ｍｍのコアの石英−ポリマーのファイバー）または一定の適当なファイバーの束に連結可能であり、これらはその基端部において光源８０２に連結している。
【００８２】
上記レンズ・システム８２０は図２に関連して上述されているような一定の線束およびビーム・サイズを有する光を光源８０２から一定の患者の皮膚表面に伝達するための任意の適当なレンズ・システムにすることができる。一例の実施形態において、このレンズ・システム８２０は一定の凹レンズ８０６および一定の凸レンズ８０８を含み、この凸レンズ８０８は視準化した出力ビーム８１０を形成する。上記システム８００の一例の実施形態において、上記レンズ８０６は一定の屈折レンズであり、レンズ８０８は一定のフレネル・レンズである。このフレネル・レンズは種々の安全効果（例えば、スペックルの一定の減少による比較的に均一な照明パタン）を与えることができる。このような実施例の一例として、レンズ８０６は２５ｍｍの焦点距離および２５ｍｍの直径を有する一定の凹レンズであり、レンズ８０８は１５２ｍｍの焦点距離を有する１５２ｍｍの直径の一定のフレネル・レンズであり、放射線供給源８０２とレンズ８０６との間の距離は２０ｍｍであり、各レンズ８０６と８０８との間の距離は１０５ｍｍである。
【００８３】
本発明の一部の態様によれば、比較的に大きな直径を有する出力ビームが小さなビーム・サイズを発光する従来の低出力のレーザー供給源よりもさらに深く皮膚および皮下組織の中に狭い帯域幅の光（例えば、レーザーまたは単色光の濾光された光）を供給するために用いられている。例えば、上記レンズ・システム８２０の例示的な実施形態によれば、一定の９０Ｗの供給源の場合に、このレンズ・システム８２０は１６０ｍｍの直径を有する一定の出力ビームを生成して、（レンズ８０８から２３ｃｍの一定の距離において）２００ｍＷ／ｃｍ2 乃至２０００ｍＷ／ｃｍ2 の一定の出力線束を有する。
【００８４】
図１３Ａは図１および図３、図４および図５において示されている様式に従って本発明を実施することを可能にしている本発明の態様に従う一定の光投射システム１３００の一定の例示的な実施形態である。例えば、この投射システム１３００は皮膚表面１３５０において適当な直径および線束を有する一定の出力ビームを供給する任意のシステムにすることができる。一例の実施形態において、この投射システム１３００は一定の光源１３０２、および光学要素１３０４，１３０６，１３１２，１３１４および１３０８を含む。この場合のレンズ・パラメータの組の一例が図１３Ｂにおいて示されている。
【００８５】
光学要素１３０６および１３１４は出力ビーム１３１０が一定の可変の直径を有するように光学軸１３０１に沿って移動可能にできる。例えば、これらのレンズ１３０６および１３１４は一定の剛体のフレーム１３１６（例えば、一定の移動ステージ）に連結していて、システム１３００の光学軸１３０１に沿うこれらのレンズ１３０６および１３１４の同時的な移動を可能にすることができる。このような移動は出力ビーム１３１０のビーム幅を変化し（例えば、スポットの大きさが変化する）、これに対応して皮膚表面１３５０上の線束を変化する。例えば、上記システム１３００は４ｃｍ乃至８ｃｍにわたりスポットの大きさを連続的に変化すると共に、７Ｗ／ｃｍ2 乃至２Ｗ／ｃｍ2 の対応する範囲に線束を変化できる（光源１３０２が一定の９０Ｗの光源であると仮定した場合）。なお、上記の各要素および光源１３０２の適当な選択により、上記レンズ・システム１３００が本明細書において記載されているような任意の出力ビーム１３１０および本明細書において記載されているような任意の出力密度を達成するように設計できることが当然に認識されると考える。
【００８６】
上記システム１３００は、基端部において一定の冷風または熱風の供給源（図示されていない）に連結していて先端部において一定の患者の皮膚１３５０に向けられた空気の流れ１３２０を供給する、少なくとも１個のエア・チューブ１３１８を含む。例えば、この少なくとも１個のエア・チューブ１３１８からの全体の空気の流れは図３乃至図５において示されている各実施形態に従って空気の温度を変化するために少なくとも５０ｍ3 ／分にすることができ（例えば、皮膚表面１３５０において温度は０℃乃至４５℃になる）、さらに図１に従って、一定の熱風を皮膚表面１３５０に供給できる。このように、ビームの直径および空気の温度を変化することにより、図１、図３、図４および図５の全ての様式が図１３Ａのシステムを用いて実現できる。なお、図８および図１３Ａはビームの直径を特定することによる態様について記載されているが、適当な穴あけにより任意の形状のビームを達成することも可能である。
【００８７】
図９Ａは一定の患者の頭部または腿等のような平坦でない表面部分９５０に対する実質的に均一な照明を行なうための一定の光投射システム９００の第１の例示的な実施形態である。一定の供給源からの一定の視準化されたビームが複数のビーム部分９０５ａ乃至９０５ｃを形成するために一定のビーム・スプリッター９０４に供給される。この図示の実施形態において、上記ビーム・スプリッター９０４は３個の成分のビーム部分９０５ａ，９０５ｂおよび９０５ｃを形成しているが、さらに２個以上のビーム部分を有する一定の光投射システム９００が有利であると考えられる。この場合に、ビーム部分９０５ｂは表面９５０に直接的に向けられているが、ビーム部分９０５ａおよび９０５ｃはそれぞれミラー９０１ａおよび９１０ｂに向けられた後に、表面９５０の各側面にそれぞれ方向を変えている。なお、ビーム・スプリッターの透明な各孔、ミラー９１０ａ，９１０ｂまたはその他の孔は表面９５０における照射の任意の所望の面積（例えば、１乃至２００ｃｍ2 ）を達成するために選択可能である。また、上記の投射システム９００は（例えば、一定の患者の顔面の一方の側面を治療するために）ビーム９１０ａおよび９１０ｂの一方を遮断することにより変更可能である。
【００８８】
図９Ｂはビーム・スプリッター９０４の一例の概略図である。このビーム・スプリッター９０４は上記ミラー９１０ａ，９１０ｂに光をそれぞれ向けるために適当に角度付けされている２個の平坦な表面部分９１２ａ，９１２ｂ、および表面９５０の前部に光を拡張するために一定の負の屈折力を有する一定の表面部分９１３を有する一定のプリズムである。
【００８９】
図１０は一定の平坦でない表面９５０において実質的に均一な照明を形成するための一定の光投射システム１０００の第２の例示的な実施形態の概略図である。この光投射システム１０００は光を２方向に投射することに適合している一定のヘッド部分１００２を有している。この場合に、光の第１の部分１００６は一定の湾曲している反射器１００４の上に第１の方向で向けられてから表面９５０上に向かっており、第２の部分１００８は表面９５０上に向かって第２の方向に向けられている。この光の第１の部分１００６は反射器１００４に直接的にまたは一定の光学要素（レンズ１００５）を介して投射され、第２の部分１００８は表面９５０に直接的に向けられているか一定の光学要素（例えば、レンズ１００９）を介して向けられている。
【００９０】
上記反射器１００４は所定の治療を達成するための任意の適当な形状を有することができる。一部の実施形態において、この反射器１００４は上記表面部分９５０の中心１０１０（例えば、一定の患者の頭部の中心）が当該反射器１００４の曲率の中心において実質的に存在するように設計されている。あるいは、上記反射器１００４は一定の楕円形の曲率を有することができ、上記表面９５０の中心１０１０（例えば、一定の患者の頭部の中心）はその反射器１００４の一定の焦点において実質的に存在しているか、この表面９５０の中心１０１０はその反射器１００４の第２の焦点において存在している。一例の実施形態において、上記反射器１００４は一定の拡散反射器とすることができる。
【００９１】
上記の投射システム１０００は一定の電力供給源および制御用の電子機器を含む一定のコントロール・モジュール１０１６を含むことができる。加えて、一定の光源（図示されていない）をヘッド部分１００２の中に取り付けることができ、あるいは、一定の光源を上記モジュール１０１６の中に取り付けて、光を一定の光ファイバーまたは一定のファイバーの束によりヘッド部分１００２に配給することも可能である。これらの光源は狭い帯域幅用（例えば、ダイオード・レーザー、ＬＥＤ等）、または広帯域用（例えば、濾光型ランプ等）とすることができる。あるいは、上記の光源は狭い帯域幅用および広帯域用の供給源の一定の組み合わせにすることも可能である。随意的に、上記の実施形態に従って、冷風または熱風をヘッド部分１００２から表面９５０上に送り込むことも可能である。
【００９２】
図１１Ａ、図１１Ｂおよび図１１Ｃはそれぞれ一定の平坦でない表面部分９５０の上に実質的に均一な照明を形成するための一定の光投射システム１１００の実施形態の第３の実施例の概略図であり、この場合に、一定の回転可能なヘッド部分１１０２が一定の表面部分１１１０から表面９５０の上に光を反射している。図１１Ａにおいて、回転可能なヘッド部分１１０２は光が表面９５０の正面の部分に向けられるように配置されている。また、図１１Ｂにおいては、回転可能なヘッド部分１１０２は光が表面９５０の第１の側面の部分に向けられるように配置されている。さらに、図１１Ｃにおいては、回転可能なヘッド部分１１０２は光が表面９５０の第２の側面の部分に向けられるように配置されている。
【００９３】
随意的に、ヘッド部分１１０２は省略することが可能であり、表面１１１０上に取り付けた一定の供給源に置き換えることができ、この供給源が光を図１１Ａ乃至図１１Ｃにおいて示されているそれぞれの部分に向けるために表面１１１０上における種々の位置に移動する。あるいは、複数の供給源を表面１１１０上に取り付けて光を上記のそれぞれの部分に向けるために選択的に照明することも可能である。
【００９４】
また、別の態様において、本発明は一定の標的領域および／または当該標的領域の上、下、またはこれに近接している一定の組織部分の中に生体刺激を発生しながら、一定の選択された範囲内の標的領域の温度を制御するための一定のフィードバック機構を提供している。このフィードバック機構は標的領域の加熱および冷却の両方を制御するために使用できる。図１４を参照して、一定の例示的な実施形態において、電磁放射線の供給源１４１０は患者の皮膚の表面領域１４５０の一部分を照明してその皮膚の一定の深さ１４３０まで皮膚の表面１４１５から延在している患者の組織の一部分１４６０を照射するための放射線を発生する。この放射線は照射した組織の部分１４６０の生体刺激を生じることのできる１個以上の波長成分を含む。さらに、別の供給源１４２０、例えば、電磁放射線の別の供給源が、例えば、組織を加熱するために適している波長成分を有する放射線により皮膚の表面領域１４５０を照射することにより、上記の照射した部分の温度を制御する。また、一定のセンサー１４７０、例えば、一定の光学的な高温計が皮膚の部分１４５０の温度を測定して、その測定した温度情報を一定のフィードバック制御用の回路１４８０に送る。さらに、このフィードバック回路１４８０はその測定した温度を少なくとも１個の閾値の温度と比べて、必要に応じて、フィードバック信号をその比較に基づいて供給源１４２０に送る。例えば、患者の皮膚の表面領域１４５０の部分が高体温化を生じるために加熱されている場合等において、この測定した温度が所定の上限の閾値を超える場合には、上記フィードバック回路はその皮膚の部分１４５０に配給される熱の量を下げるための一定の信号を供給源１４２０に送ることができる。あるいは、上記フィードバック回路は、上記の測定した温度が所定の下限の閾値を下回る場合に、皮膚の部分１４５０に配給される熱の量を増加するように供給源１４２０に命令することもできる。このような様式において、照射した皮膚部分１４５０の温度およびその結果としての標的領域１４６０の温度は一定の動作温度の近辺の所定の範囲内に能動的に維持できる。例えば、上記のフィードバック機構は動作温度を３９℃の±１℃の範囲内に保つことを確実にできる。なお、本発明の実施において使用することに適している種々のセンサーおよびフィードバック回路が当業界において知られている。
【００９５】
当業界における熟練者であれば、上記の種々の実施形態に基づいて本発明のさらに別の特徴および利点を日常的な実験の範囲内において認識または確認することができる。従って、本発明は、特許請求の範囲の各項により示されている内容を除いて、特定的に図示および説明されている内容により限定されないと考えるべきである。また、本特許出願の全体を通して引用されている全ての参考文献、特許および公開特許出願の内容は本明細書において参考文献として含まれる。
【図面の簡単な説明】
【００９６】
【図１】本発明の一定の実施形態を概略的に示しており、この場合に、生体刺激が組織の一定の高体温の部分に供給されるように一定の深さまで皮膚の表面から延在している一定の標的領域が加熱されることを示す図である。
【図２】本発明の別の実施形態を概略的に示しており、この場合に、生体刺激が皮膚の表面の近くの一定の加熱された領域に供給されていると共に、生体刺激がこれと同時にその標的領域の下の一定の加熱されていない部分に供給されていることを示す図である。
【図３】本発明の別の実施形態を概略的に示しており、この場合に、光生体刺激が皮膚の表面の下の一定の深さの領域における組織の部分の中に発生していると共に、その皮膚の表面に冷却処理が適用されていることを示す図である。
【図４】本発明の別の実施形態を概略的に示しており、この場合に、生体刺激が皮膚の表面の下の一定の深さにおける組織の一定の高体温の部分に供給されており、加熱されていない部分がその組織の高体温の部分の上および下にそれぞれ存在していることを示す図である。
【図５】本発明の別の実施形態を概略的に示しており、この場合に、高められた生体刺激が組織の第１の部分の中に生じており、この第１の部分は高体温であり且つその皮膚の表面の下の一定の深さに存在しており、さらに生体刺激（高体温化を伴わない）が上記組織の第１の部分よりも下に存在している組織の第２の部分の中に生じていることを示す図である。
【図６】皮膚の冷却を伴わない単色光の例示的な波長によるＩＩ型の皮膚の選択された温度プロファイルのグラフ図である。
【図７】同時の皮膚の冷却を伴う単色光の例示的な波長によるＩＩ型の皮膚の選択された温度プロファイルのグラフ図である。
【図８】本発明の教示に従う一定の標的領域を生体刺激するための一定の光投射システムの概略図である。
【図９Ａ】一定の平坦でない表面の実質的に均一な照明の状態を形成するための一定の光投射システムの例示的な実施形態を示す図である。
【図９Ｂ】本発明の教示に従う一定の装置の中において使用するために適している例示的なビーム・スプリッターの概略図である。
【図１０】一定の平坦でない表面における実質的に均一な照明の状態を形成するための一定の光投射システムの別の例示的な実施形態の概略図である。
【図１１Ａ】本発明の教示に従う一定の光投射システムの別の実施形態の概略図であり、このシステムは一定の平坦でない表面に対する実質的に均一な照明の状態を形成するための一定の回転可能なヘッド部分を利用しており、この場合に、この回転可能なヘッド部分が上記の平坦でない表面の前方の部分に光を送り込むように配置されていることを示す図である。
【図１１Ｂ】本発明の教示に従う一定の光投射システムの別の実施形態の概略図であり、このシステムは一定の平坦でない表面に対する実質的に均一な照明の状態を形成するための一定の回転可能なヘッド部分を利用しており、この場合に、この回転可能なヘッド部分が上記の平坦でない表面の第１の側方の部分に光を送り込むように配置されていることを示す図である。
【図１１Ｃ】本発明の教示に従う一定の光投射システムの別の実施形態の概略図であり、このシステムは一定の平坦でない表面に対する実質的に均一な照明の状態を形成するための一定の回転可能なヘッド部分を利用しており、この場合に、この回転可能なヘッド部分が上記の平坦でない表面の第２の側方の部分に光を送り込むように配置されていることを示す図である。
【図１２Ａ】６８０ｍＷ／ｃｍ2 の一定の線束における８００ｎｍの放射線に対する曝露における時間の関数としてのＩＩ型の皮膚表面の温度のグラフ図であり、この場合に上記放射線は２．５ｃｍよりも大きな一定の直径を有している。
【図１２Ｂ】本発明に従って、ＩＩ型の皮膚表面が３６℃に冷却されて維持されていると共に、異なる波長の放射線に曝されている状態における温度プロファイルのグラフ図である。
【図１３Ａ】本発明において使用するための一定の光投射システムの例示的な実施形態を示す図である。
【図１３Ｂ】本発明によるレンズ・パラメータの例示的な組み合わせを示している図である。
【図１４】一定の標的領域を照射して一定のフィードバック機構によりその領域の温度を制御できる本発明に従う一定の装置の例示的な実施形態を示している図である。
【図１５】一定の標的領域を照射して一定の二次元のマトリクスの放射線供給源を用いることができる本発明に従う一定の装置の例示的な実施形態を示している図である。
【符号の説明】
【００９７】
１１０    光生体刺激供給源
１１５    皮膚
１２０    既知の放射線供給源
１３０    一定の深さの領域
１５０    皮膚の表面領域
１５２    組織部分の側面
１６０    組織部分
２１０    供給源
２３０，２４０  所定の深さの領域
２５０    皮膚の一定の領域
２６０    組織部分
３１０    供給源
３１２    冷却器
３３０    一定の深さの領域
３５０    皮膚の一定の領域
３６０    組織部分
４１０    供給源
４１２    冷却器
４３０    一定の深さの領域
４５０    皮膚の一定の領域
４６０    組織部分
５１０    供給源
５１２    冷却供給源
５３０    一定の深さの領域
５５０    皮膚の一定の領域
５６０    組織部分
８００    光投射システム
８０２    放射線供給源
８２０    レンズ・システム
９００    光投射システム
９０４    ビーム・スプリッター
９５０    平坦でない表面部分
１０００  光投射システム
１００２  ヘッド部分
１１００  光投射システム
１１０２  ヘッド部分
１３００  光投射システム
１３０２  光供給源
１３０４、１３０６，１３０８，１３１２，１３１４  光学要素
１３５０  皮膚表面
１４１０  放射線供給源
１４２０  別の供給源
１４３０  一定の深さの領域
１４５０  皮膚の表面領域
１４６０  組織部分
１４７０  センサー
１５００  放射線のマトリクス
１５１０  放射線供給源
１５２０  別の放射線供給源
【図１】
2006501960.tif 000006
【図２】
2006501960.tif 000007
【図３】
2006501960.tif 000008
【図４】
2006501960.tif 000009
【図５】
2006501960.tif 000010
【図６】
2006501960.tif 000011
【図７】
2006501960.tif 000012
【図８】
2006501960.tif 000013
2006501960.tif 000014
【図１０】
2006501960.tif 000015
2006501960.tif 000016
【図１２Ａ】
2006501960.tif 000017
【図１２Ｂ】
2006501960.tif 000018
2006501960.tif 000019
【図１３Ｂ】
2006501960.tif 000020
【図１４】
2006501960.tif 000021
【図１５】
2006501960.tif 000022
【手続補正書】
【提出日】平成16年10月25日(2004.10.25)
【手続補正１】
【補正対象書類名】特許請求の範囲
【補正対象項目名】全文
【補正方法】変更
【補正の内容】
【特許請求の範囲】
【請求項１】
一定の患者の標的領域を生体刺激するための装置において、
前記標的領域の中に生体刺激を生じるために適している１個以上の波長成分を有する電磁放射線の一定のビームを発生するための第１の供給源、
前記電磁放射線により生じる生体刺激の効果を調節するために前記標的領域の温度を制御するために当該標的領域に連絡している第２のエネルギー供給源を備えており、
前記患者の皮膚における１ｃｍ2 よりも大きい一定の領域を露光することに適合している前記第１の供給源により特徴付けられていて、
前記標的領域に前記放射線を配給するために前記第１の供給源に光学的に連結していて、前記面積および焦点の深さを調節するための少なくとも１個の可動のレンズを有している一定の放射線案内装置を随意的に含む装置。
【請求項２】
前記第１の供給源が約１００ｎｍよりも狭い一定の帯域幅を有する放射線を発生する請求項１に記載の装置。
【請求項３】
前記第１の供給源が一定の実質的に単色光の放射線を発生する請求項１に記載の装置。
【請求項４】
前記第１の供給源が約３８０ｎｍ乃至約１２５０ｎｍの一定範囲内における１個以上の波長成分を有する放射線を発生する請求項１に記載の装置。
【請求項５】
前記第２の供給源が生体刺激の効果を高めるために前記標的領域を加熱するために適している放射線を発生する一定の電磁放射線の供給源を含む請求項１に記載の装置。
【請求項６】
前記第２の供給源が約３８０ｎｍ乃至約２７００ｎｍの一定範囲内の１個以上の波長成分を有する放射線を発生する請求項５に記載の装置。
【請求項７】
前記放射線案内装置が前記第１の供給源から前記標的領域に生体刺激用の放射線を配給するための一定のレンズ・システムを含む請求項５に記載の装置。
【請求項８】
前記レンズ・システムが一定のフレネル・レンズを含む請求項５に記載の装置。
【請求項９】
さらに、前記第１の放射線供給源により発生される光を前記レンズ・システムに送り込むために一定の入力部分において前記第１の放射線供給源に連結しており一定の出力部分において前記レンズ・システムに連結している一定の光ファイバーを備えている請求項５に記載の装置。
【請求項１０】
前記レンズ・システムが前記標的領域を照射するために前記第１の供給源により発生される一定の放射線ビームの断面積を調節可能にするための少なくとも１個の可動のレンズを含む請求項５に記載の装置。
【請求項１１】
前記放射線案内装置が
前記第１の供給源から一定の放射線ビームを受け取り複数のビーム部分を発生することに適合している一定のビーム・スプリッター、および
前記ビーム・スプリッターに光学的に連結していて、前記ビーム部分の１個以上を前記患者の皮膚の一定の表面部分に送り込むことにより前記標的部分を照射するための１個以上の反射性の表面部分を含む請求項１に記載の装置。
【請求項１２】
前記反射性の表面部分が前記皮膚の表面の一定の実質的に均一な照明を可能にする請求項１１に記載の装置。
【請求項１３】
前記ビーム・スプリッターが一定のプリズムを含む請求項１１に記載の装置。
【請求項１４】
前記反射性の表面部分の少なくとも１個が一定の湾曲状の外形を有している請求項１１に記載の装置。
【請求項１５】
前記第１の供給源がアクネ症に対して適している強度で約３９０ｎｍ乃至約４５０ｎｍの一定範囲内の１個以上の波長成分を有する放射線を発生する請求項１に記載の装置。
【請求項１６】
前記第１の供給源がアクネ症の治療に対して適している強度で約６００ｎｍ乃至約７００ｎｍの一定範囲内の１個以上の波長成分を有する放射線を発生する請求項１に記載の装置。
【請求項１７】
前記第１の供給源が瘢痕の減少に適している強度で約３８０ｎｍ乃至約４２０ｎｍ、約６２０ｎｍ乃至約６８０ｎｍ、および約７６０ｎｍ乃至約８３０ｎｍから成る範囲の群から選択される１個以上の波長成分を有する放射線を発生する請求項１に記載の装置。
【請求項１８】
前記第１の供給源がしわを調整するために適している強度で約６２０ｎｍ乃至約６８０ｎｍの一定範囲内または約７６０ｎｍ乃至約８８０ｎｍの一定範囲内の１個以上の波長成分を有する放射線を発生する請求項１に記載の装置。
【請求項１９】
前記第１の供給源が脂肪性浮腫を調整するために適している強度で約７６０ｎｍ乃至約８８０ｎｍの一定範囲内の１個以上の波長成分を有する放射線を発生する請求項１に記載の装置。
【請求項２０】
前記第１の供給源が線条を調整するために適している強度で約７６０ｎｍ乃至約８８０ｎｍの一定範囲内の１個以上の波長成分を有する放射線を発生する請求項１に記載の装置。
【請求項２１】
前記第１の供給源が老年性黒子を調整するために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２２】
前記第１の供給源が脱毛症を調整するために適している強度で約６２０ｎｍ乃至約６８０ｎｍの一定範囲内または約７６０ｎｍ乃至約８８０ｎｍの一定範囲内の１個以上の波長成分を有する放射線を発生する請求項１に記載の装置。
【請求項２３】
前記第１の供給源が皮膚を若返らせるために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２４】
前記第１の供給源が毛髪の増殖の刺激のために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２５】
前記第１の供給源が乾癬を調整するために適している強度で約６００ｎｍ乃至約７００ｎｍの一定範囲内の１個以上の波長成分を有する放射線を発生する請求項１に記載の装置。
【請求項２６】
前記第１の供給源が歯肉炎を調整するために適している強度で約３８０ｎｍ乃至約４５０ｎｍの一定範囲内または約６００ｎｍ乃至約７００ｎｍの一定範囲内の１個以上の波長成分を有する放射線を発生する請求項１に記載の装置。
【請求項２７】
前記第１の供給源が歯ぐきの炎症を調整するために適している強度で約３８０ｎｍ乃至約４５０ｎｍの一定範囲内または約６００ｎｍ乃至約７００ｎｍの一定範囲内の１個以上の波長成分を有する放射線を発生する請求項１に記載の装置。
【請求項２８】
前記第１の供給源がやけどを治療するために適している強度で約７６０ｎｍ乃至約８８０ｎｍの一定範囲内の１個以上の波長成分を有する放射線を発生する請求項１に記載の装置。
【請求項２９】
前記第１の供給源が痛みを軽減するために適している強度で約７６０ｎｍ乃至約８８０ｎｍの一定範囲内の１個以上の波長成分を有する放射線を発生する請求項１に記載の装置。
【請求項３０】
前記第１の供給源が傷を治癒するために適している強度で約３８０ｎｍ乃至約１２５０ｎｍの一定範囲内の１個以上の波長成分を有する放射線を発生する請求項１に記載の装置。
【手続補正書】
【提出日】平成17年7月19日(2005.7.19)
【手続補正１】
【補正対象書類名】特許請求の範囲
【補正対象項目名】全文
【補正方法】変更
【補正の内容】
【特許請求の範囲】
【請求項１】
一定の患者の標的領域を生体刺激するための装置において、
前記標的領域の中に生体刺激を生じるために適している１個以上の波長成分を有する電磁放射線の一定のビームを発生するための第１の供給源を備えており、この場合に、この第１の供給源は前記患者の皮膚における１ｃｍ2 よりも大きい一定の領域を露光することに適合しており、さらに
前記電磁放射線により生じる生体刺激の効果を調節するために前記標的領域の温度を制御するためにその標的領域に対して連絡している第２のエネルギー供給源を備えている装置。
【請求項２】
前記電磁放射線の一定のビームを発生するための第１の供給源が約１００ｍＷ／ｃｍ2 乃至約１０，０００Ｗ／ｃｍ2 の一定範囲内の放射線を発生する請求項１に記載の装置。
【請求項３】
前記装置がさらに前記放射線を前記標的領域に配給するために前記第１の供給源に光学的に連結している一定の放射線案内装置を含む請求項１に記載の装置。
【請求項４】
前記案内装置が前記面積および焦点の深さを調節するための少なくとも１個の可動のレンズを含む請求項３に記載の装置。
【請求項５】
前記第１の供給源が約１００ｎｍよりも狭い一定の帯域幅を有する放射線を発生する請求項１に記載の装置。
【請求項６】
前記第１の供給源が一定の実質的に単色光の放射線を発生する請求項１に記載の装置。
【請求項７】
前記第１の供給源が約３８０ｎｍ乃至約１２５０ｎｍの一定範囲内の１個以上の波長成分を有する放射線を発生する請求項１に記載の装置。
【請求項８】
前記第２の供給源が生体刺激の効果を高めるために前記標的領域を加熱するために適している放射線を発生する一定の電磁放射線の供給源を含む請求項１に記載の装置。
【請求項９】
前記第２の供給源が約３８０ｎｍ乃至約２７００ｎｍの一定範囲内の１個以上の波長成分を有する放射線を発生する請求項８に記載の装置。
【請求項１０】
前記放射線案内装置が前記第１の供給源から前記標的領域に生体刺激用の放射線を配給するための一定のレンズ・システムを含む請求項８に記載の装置。
【請求項１１】
前記レンズ・システムが一定のフレネル・レンズを含む請求項８に記載の装置。
【請求項１２】
さらに、前記第１の放射線供給源により発生される光を前記レンズ・システムに送り込むために一定の入力部分において前記第１の放射線供給源に連結しており一定の出力部分において前記レンズ・システムに連結している一定の光ファイバーを備えている請求項８に記載の装置。
【請求項１３】
前記レンズ・システムが前記標的領域を照射するために前記第１の供給源により発生される一定の放射線ビームの断面積を調節可能にするための少なくとも１個の可動のレンズを含む請求項８に記載の装置。
【請求項１４】
前記放射線案内装置が
前記第１の供給源から一定の放射線ビームを受け取り複数のビーム部分を発生することに適合している一定のビーム・スプリッター、および
前記ビーム・スプリッターに光学的に連結していて、前記ビーム部分の１個以上を前記患者の皮膚の一定の表面部分に送り込むことにより前記標的部分を照射するための１個以上の反射性の表面部分を含む請求項１に記載の装置。
【請求項１５】
前記反射性の表面部分が前記皮膚の表面の一定の実質的に均一な照明を可能にする請求項１４に記載の装置。
【請求項１６】
前記ビーム・スプリッターが一定のプリズムを含む請求項１４に記載の装置。
【請求項１７】
前記反射性の表面部分の少なくとも１個が一定の湾曲状の外形を有している請求項１４に記載の装置。
【請求項１８】
前記第１の供給源がアクネ症に対して適している強度で約３９０ｎｍ乃至約４５０ｎｍの一定範囲内の１個以上の波長成分を有する放射線を発生する請求項１に記載の装置。
【請求項１９】
前記第１の供給源がアクネ症の治療に対して適している強度で約６００ｎｍ乃至約７００ｎｍの一定範囲内の１個以上の波長成分を有する放射線を発生する請求項１に記載の装置。
【請求項２０】
前記第１の供給源が瘢痕の減少に適している強度で約３８０ｎｍ乃至約４２０ｎｍ、約６２０ｎｍ乃至約６８０ｎｍ、および約７６０ｎｍ乃至約８３０ｎｍから成る範囲の群から選択される１個以上の波長成分を有する放射線を発生する請求項１に記載の装置。
【請求項２１】
前記第１の供給源がしわを調整するために適している強度で約６２０ｎｍ乃至約６８０ｎｍの一定範囲内または約７６０ｎｍ乃至約８８０ｎｍの一定範囲内の１個以上の波長成分を有する放射線を発生する請求項１に記載の装置。
【請求項２２】
前記第１の供給源が脂肪性浮腫を調整するために適している強度で約７６０ｎｍ乃至約８８０ｎｍの一定範囲内の１個以上の波長成分を有する放射線を発生する請求項１に記載の装置。
【請求項２３】
前記第１の供給源が線条を調整するために適している強度で約７６０ｎｍ乃至約８８０ｎｍの一定範囲内の１個以上の波長成分を有する放射線を発生する請求項１に記載の装置。
【請求項２４】
前記第１の供給源が老年性黒子を調整するために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２５】
前記第１の供給源が脱毛症を調整するために適している強度で約６２０ｎｍ乃至約６８０ｎｍの一定範囲内または約７６０ｎｍ乃至約８８０ｎｍの一定範囲内の１個以上の波長成分を有する放射線を発生する請求項１に記載の装置。
【請求項２６】
前記第１の供給源が皮膚を若返らせるために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２７】
前記第１の供給源が毛髪の増殖の刺激のために適している強度で約６００ｎｍ乃至約７００ｎｍの一定範囲内または約７６０ｎｍ乃至約８８０ｎｍの一定範囲内の１個以上の波長成分を有する放射線を発生する請求項１に記載の装置。
【請求項２８】
前記第１の供給源が乾癬を調整するために適している強度で約６００ｎｍ乃至約７００ｎｍの一定範囲内の１個以上の波長成分を有する放射線を発生する請求項１に記載の装置。
【請求項２９】
前記第１の供給源が歯肉炎を調整するために適している強度で約３８０ｎｍ乃至約４５０ｎｍの一定範囲内または約６００ｎｍ乃至約７００ｎｍの一定範囲内の１個以上の波長成分を有する放射線を発生する請求項１に記載の装置。
【請求項３０】
前記第１の供給源が歯ぐきの炎症を調整するために適している強度で約３８０ｎｍ乃至約４５０ｎｍの一定範囲内または約６００ｎｍ乃至約７００ｎｍの一定範囲内の１個以上の波長成分を有する放射線を発生する請求項１に記載の装置。
【請求項３１】
前記第１の供給源がやけどを治療するために適している強度で約７６０ｎｍ乃至約８８０ｎｍの一定範囲内の１個以上の波長成分を有する放射線を発生する請求項１に記載の装置。
【請求項３２】
前記第１の供給源が痛みを軽減するために適している強度で約７６０ｎｍ乃至約８８０ｎｍの一定範囲内の１個以上の波長成分を有する放射線を発生する請求項１に記載の装置。
【請求項３３】
前記第１の供給源が傷を治癒するために適している強度で約３８０ｎｍ乃至約１２５０ｎｍの一定範囲内の１個以上の波長成分を有する放射線を発生する請求項１に記載の装置。
【請求項３４】
一定の被験体における一定の標的領域を生体刺激するための方法において、
一定の選択された継続時間にわたり、生体刺激に適している少なくとも１個の選択された波長成分を有するように一定の放射線供給源により発生される一定の放射線により前記標的領域を照射する処理を含み、前記継続時間が前記標的領域の生体刺激を生じるように選択され、さらに
前記生体刺激の効力を調整するために前記生体刺激用の放射線とは無関係の一定の供給源により前記照射された標的領域の温度を制御する処理を含む方法。
【請求項３５】
さらに、前記波長成分を約３８０ｎｍ乃至約１２５０ｎｍの一定範囲内、約３８０ｎｍ乃至約６００ｎｍの一定範囲内、または約３８０ｎｍ乃至約４５０ｎｍの一定範囲内、または約６００ｎｍ乃至約７００ｎｍの一定範囲内、または約７６０乃至約８８０ｎｍの一定範囲内になるように選択する処理を含む請求項３４に記載の方法。
【請求項３６】
前記放射線供給源が一定の狭い帯域幅を有する放射線を発生する請求項３４に記載の方法。
【請求項３７】
前記狭い帯域幅が約１００ｎｍよりも狭い請求項３６に記載の方法。
【請求項３８】
さらに、前記継続時間を約１０秒乃至約１時間の一定範囲内、または約１０分乃至約１時間の一定範囲内になるように選択する処理を含む請求項３４に記載の方法。
【請求項３９】
前記放射線が前記標的領域に約１乃至約２５０ｍＷ／ｃｍ2 の一定範囲内、または前記標的領域に約１０乃至約１００ｍＷ／ｃｍ2 の一定範囲内の出力の線束を配給する請求項３４に記載の方法。
【請求項４０】
前記放射線が前記継続時間中に前記照射された標的領域に約１ジュール／ｃｍ2 乃至約１０００ジュール／ｃｍ2 の一定範囲内、または前記係属時間中に前記照射された標的領域に約１ジュール／ｃｍ2 乃至約１００ジュール／ｃｍ2 の一定範囲内のエネルギーの線束を配給する請求項３４に記載の方法。
【請求項４１】
前記標的領域を照射する処理がその標的領域を約１ｃｍ2 乃至約２００ｃｍ2 の一定範囲内の断面積を有する一定の放射線のビームに対して曝露する処理を含む請求項３４に記載の方法。
【請求項４２】
前記温度を制御する工程が前記生体刺激の効力を高めるために前記照射される標的領域を加熱する処理を含む請求項３４に記載の方法。
【請求項４３】
前記加熱工程が接触加熱、対流、および電磁放射線の適用から成る群から選択される請求項４２に記載の方法。
【請求項４４】
前記加熱工程が前記照射される標的領域に超音波またはマイクロ波の放射線の少なくとも一つを供給する処理を含む請求項４２に記載の方法。
【請求項４５】
前記加熱処理が前記標的領域の温度の温度を約３７℃乃至約５０℃の一定範囲内、約３７℃乃至約４５℃の一定範囲内、または約３７℃乃至約４２℃の一定範囲内の一定の値に高める請求項４２に記載の方法。
【請求項４６】
前記温度を制御する工程が前記生体刺激の効力を低下するために前記標的領域を冷却する処理を含む請求項３４に記載の方法。
【請求項４７】
前記冷却処理が前記標的領域の温度を約０℃乃至約３６℃の一定範囲内、または約１５℃乃至約３６℃の一定範囲内の一定の値に下げる請求項４６に記載の方法。
【請求項４８】
前記温度を制御する処理が前記生体刺激用の放射線により照射される標的領域を加熱するために一定の別の放射線供給源を利用する処理を含む請求項３４に記載の方法。
【請求項４９】
前記別の放射線供給源が約３８０ｎｍ乃至約２７００ｎｍの一定範囲内、または約１０００ｎｍ乃至約１２５０ｎｍの一定範囲内、または約７００ｎｍ乃至約９００ｎｍの一定範囲内の１個以上の波長成分を有する放射線を発生する請求項４８に記載の方法。
【請求項５０】
前記温度を制御する処理が前記標的領域を所定の温度を有する一定の表面部分に対して熱的に接触した状態で配置する処理、前記標的領域に対して熱的に接触した状態になるようにその標的領域の上に一定の流体の流れを発生する処理、または一定の蒸発性のクリームを前記標的領域に供給する処理の内の少なくとも一つを含む請求項３４に記載の方法。
【請求項５１】
前記標的領域が前記被験体の一定の皮膚の表面下の一定の深さに定められている請求項３４に記載の方法。
【請求項５２】
前記照射される標的領域の温度を制御する工程がさらに前記放射線がその標的領域に到達するために少なくとも一部分の中を伝達する前記患者の一定の組織部分の温度を制御して前記標的領域に対してその組織部分の中の生体刺激を調整する処理を含む請求項５１に記載の方法。
【請求項５３】
前記温度を制御する処理が前記組織部分の中の生体刺激を減少するためにその組織部分を冷却する処理を含む請求項５２に記載の方法。
【請求項５４】
前記冷却処理が前記組織部分の温度を約０℃乃至約３６℃の一定範囲内、または約１５℃乃至約３６℃の一定範囲内の一定の値に下げる請求項５２に記載の方法。
【請求項５５】
前記組織部分を冷却する処理がその組織部分の近くの患者の皮膚の一部分を冷却する処理を含む請求項５２に記載の方法。
【請求項５６】
前記照射される標的領域の温度を制御する工程がその標的領域の第１の選択された部分を加熱してその標的領域の第２の選択された部分を冷却する処理を含む請求項３４に記載の方法。
【請求項５７】
前記加熱および冷却の各工程が同時であるか連続的である請求項５６に記載の方法。
【請求項５８】
前記照射される標的領域の温度を冷却する工程がさらにその標的領域内の生体刺激の効力を調整するために当該標的領域の少なくとも一部分の温度を一定の動作温度の所定範囲内に保つことを確実にするようにその温度を能動的に制御する処理を含む請求項３４に記載の方法。
【請求項５９】
前記温度を能動的に制御する工程が前記標的領域に対して熱的に接触している前記患者の皮膚の一部分の温度を測定する処理を含む請求項５８に記載の方法。
【請求項６０】
前記温度を能動的に制御する工程が前記測定した温度を少なくとも１個の所定の閾値に対して比較する処理を含む請求項５９に記載の方法。
【請求項６１】
前記温度を能動的に制御する工程が前記測定した温度の前記所定の閾値に対する比較に応じて前記標的領域に対して配給されるか当該標的領域から取り出される一定量の熱を変更する処理を含む請求項６０に記載の方法。
【請求項６２】
前記方法がさらに前記放射線供給源を前記被験体の皮膚の一部分の上において移動して生体刺激を生じるために適している少なくとも１個の波長成分を有する放射線により複数の標的領域を連続的に照射する処理を含み、前記放射線供給源の移動がそれぞれの標的領域内において生体刺激を生じるために十分な放射線にそれぞれの標的領域を曝露させるために選択される一定の速度で行なわれる請求項３４に記載の方法。
【手続補正２】
【補正対象書類名】図面
【補正対象項目名】全図
【補正方法】変更
【補正の内容】
【図１】
2006501960.tif 000023
【図２】
2006501960.tif 000024
【図３】
2006501960.tif 000025
【図４】
2006501960.tif 000026
【図５】
2006501960.tif 000027
【図６】
2006501960.tif 000028
【図７】
2006501960.tif 000029
【図８】
2006501960.tif 000030
【図９Ａ】
2006501960.tif 000031
【図９Ｂ】
2006501960.tif 000032
【図１０】
2006501960.tif 000033
【図１１Ａ】
2006501960.tif 000034
【図１１Ｂ】
2006501960.tif 000035
【図１１Ｃ】
2006501960.tif 000036
【図１２Ａ】
2006501960.tif 000037
【図１２Ｂ】
2006501960.tif 000038
【図１３Ａ】
2006501960.tif 000039
【図１３Ｂ】
2006501960.tif 000040
【図１４】
2006501960.tif 000041
【図１５】
2006501960.tif 000042
【国際調査報告】
2006501960.tif 000043
2006501960.tif 000044
2006501960.tif 000045